(57)【要約】空気洗浄装置であって、一実施形態では、周囲空気の取入口、浄化空気の排出口、スクラビング液を取り込み、前記スクラビング液に接触させることによって周囲空気中に溶解又は分散した不純物を除去するための機構、スクラビング液供給タンクからスクラビング液を供給するための取入口、使用済みスクラビング液を排出するための排出口、ならびに、周囲空気を装置に引き込み、空気を装置内に流し、浄化空気を装置から排出するためのブロワを含む装置を開示する。また、前述の装置と、スクラビング液成分の詰替え分、又は濃縮スクラビング液の詰替え分、あるいはすぐに使用できるスクラビング液の詰替え分とを含むキットについても開示する。
2004526931.tif 000002
【特許請求の範囲】
【請求項１】
独立型の室内空気洗浄装置であって、
ａ．周囲空気の取入口；
ｂ．浄化空気の排出口；
ｃ．スクラビング液（scrubbing liquor）を取り込み、前記スクラビング液に接触させることによって周囲空気中に溶解又は分散した不純物を除去するための手段；
ｄ．スクラビング液供給タンクからスクラビング液を供給するための取入口；
ｅ．使用済みスクラビング液を排出するための排出口；及び、
ｆ．周囲空気を装置に引き込み、空気を装置内に流し、浄化空気を装置から排出するためのブロワ、を含むことを特徴とする装置。
【請求項２】
前記装置の空気流中における少なくとも一部の粒子を取り除くために、浄化空気の排出口の直前に出口フィルタをさらに含み、該出口フィルタが：活性炭素、ゼオライト、又は他の吸着フィルタと任意で組み合わされたＨＥＰＡ、ＵＬＰＡ、又は電気型の機械フィルタ；あるいは、濾過空気中に含まれるオゾンを捕捉する手段が任意で後に続く静電集塵装置である、請求項１に記載の装置。
【請求項３】
該取り込み及び除去手段が：吸入周囲空気に接触させるためのスクラビング液の微細な液滴の噴霧を発生するスクラバー（scrubber）；吸入周囲空気がそれを通って発泡するスクラビング液が入っている発泡容器；あるいは、スクラビング液を浸透させる充填物又は多孔質エレメントで満たされたカラムを含む、請求項１又は２に記載の装置。
【請求項４】
該スクラビング液が：
ａ）水性又は本質的に非水性の溶媒と、酸性又はアルカリ性剤、界面活性剤、酵素、漂白剤、金属含有漂白触媒、有機ポリマー化合物、金属イオン封鎖系、キレート剤、包接錯体、抑泡剤、分散剤、乾燥剤化合物、固体吸着媒、光退色剤、着色剤、香料、清浄薬、殺生物剤、抗菌剤、及び抗微生物剤から成る群から選択されるさらなる添加剤とを含み；
主要液体溶媒として水を含む水性スクラビング液であり；あるいは、
主要液体溶媒としていずれかのポリエチレングリコールを含む液体である、請求項１〜３のいずれか一項に記載の装置。
【請求項５】
該スクラビング液が非蒸発性の液体である、請求項１〜４のいずれか一項に記載の装置。
【請求項６】
該スクラビング液が活性な固形物を含む液体である、請求項１〜５のいずれか一項に記載の装置。
【請求項７】
請求項１〜６のいずれか一項に記載の装置と、スクラビング液成分の詰替え分、又は濃縮スクラビング液の詰替え分、又はすぐに使用可能なスクラビング液の詰替え分とを含むキット。
【請求項８】
室内空気と活性固体粒子を含む液体とを接触させることを含む、室内空気洗浄方法。
【請求項９】
空気と活性固体粒子を含む非蒸発性の液体とを接触させることを含む、空気洗浄方法。
【請求項１０】
独立型装置を使用して、充填カラム・スクラバーを通じて空気と水性又は非水性の液体とを接触させることを含む、室内空気洗浄方法。
【請求項１１】
独立型空気洗浄装置において空気と非蒸発性の水性又は非水性の液体とを接触させることを含む、空気洗浄方法。
【請求項１２】
前記液体が、冷却システムによる前記液体の冷却の結果として非蒸発性である、請求項９又は１１に記載の空気洗浄方法。
【請求項１３】
独立型装置において空気と液体を接触させることを含む室内空気洗浄方法であって、該液体が、酸性又はアルカリ性剤、陰イオン性及び非イオン性界面活性剤、有機溶媒、酸化剤、光退色剤の群から選択される成分を含有する方法。
【請求項１４】
活性固体粒子を含む非蒸発性の液体。
【発明の詳細な説明】
【技術分野】
【０００１】
本発明は、周囲空気、とりわけ室内又は車両内のような限られた空間内の空気を浄化する、空気洗浄装置及び方法に関する。この装置及び方法は、シングルルーム内で、又は大規模に共同住宅及び家屋で、あるいは商用環境、例えば、オフィスビル、ホテル、病院、レストラン、商店、画廊、映画館、劇場、コンベンションセンター、デイケアセンター、学校、若しくは車、バス、長距離バス（coaches）、電車、飛行機、船舶、フェリー、クルーザーのような輸送手段において使用してよい。
【背景技術】
【０００２】
室内空気の質への関心は、消費者の間で、及び科学／医療団体において増大している。室内空気の汚染が、目の炎症、頭痛、呼吸障害、アレルギーのような短期的な健康への影響、ならびに慢性の呼吸器症候群のような重篤な病気の両方の原因になり得ることが、ますます認識されつつある。
【発明の開示】
【発明が解決しようとする課題】
【０００３】
市場には多数の空気洗浄装置があるが、そのほとんどが、機械又は静電フィルタ、及び／又は陰イオン発生（イオン化）に基づいたものである。それらは、粒子状の空気コンタミ物質を良好に除去するが、サブミクロン範囲の非常に小さい粒子には効果を示さないことが多い。さらに、バクテリア及びウイルス、とりわけ、蒸気／ガス状コンタミ物質、例えばイオウ又は窒素酸化物、ＶＯＣ（揮発性有機化合物）、及び室内環境中に存在する多数のラジカル種に対しては全く効果がない。特にＶＯＣは、健康に及ぼす影響が大きく、臭気の原因でもあるので、それらを除去することが消費者にきわめて適切である。また最近、ＶＯＣならびに窒素酸化物のような他のガス状汚染物質に曝露されるとアレルギー及び喘息状態の悪化を招き得ることも、観察及び報告されている。
【０００４】
さらに、機械フィルタは実験室条件ではうまく機能するが、実際の生活条件では濾過した不純物ですぐに満載になり、その効力を失う。一方、静電フィルタには、あまりこの欠点はないが、収集された不純物を帯電表面から効率的且つ頻繁に洗浄しなければならず、その際不純物を空気中に再放出しないようにとりわけ注意が必要であるという問題がある。また、空気コンタミ物質と化学的に相互作用する活性物質を含浸させたフィルタも利用可能であるが、機械フィルタと同様に、含浸物質がすぐに排出又は乾燥するのでフィルタの有効持続時間が限られ、頻繁に交換する必要があるという制限がある。
【０００５】
ＤＥ−Ａ−２  ２０５  ６００は、低速回転ドラムが水性剤溶液に部分的に含浸され、汚染空気がドラムの含浸されていない部分を通って流れる室内空気洗浄装置を記載している。この装置に使用される薬剤の種類及び性質については、それが粉末形態で入手可能で、水に溶解されることを除いては全く記載されていない。さらに、その種の装置は、排出空気の相対湿度を制御しないので、通常運転時に室内空気の相対湿度を増加させることになる。
【０００６】
本発明の実施形態の１つが対処する課題の１つは、構造が単純で、溶解又は分散したコンタミ物質、特にＶＯＣ及び他のガス状汚染物質を効率的に除去する、独立型及び／又は携帯型の室内空気洗浄装置を提供することである。
【課題を解決するための手段】
【０００７】
非限定的な実施形態の１つでは、本発明は次のものを含む携帯型の室内空気洗浄装置を提供する：
−周囲空気の取入口；
−浄化空気の排出口；
−スクラビング液（scrubbing liquor）を取り込み、前記スクラビング液に接触させることによって周囲空気中に溶解又は分散した不純物を除去するための手段；
−スクラビング液供給タンク又はいずれかの種類の液体が入っているカートリッジからスクラビング液を供給するための取入口；
−使用済みスクラビング液を排出するための排出口；及び、
−周囲空気を装置に引き込み、空気を装置内に流し、浄化空気を装置から排出するためのブロワ、ならびに、
−任意で、液体及び／又は固体浮遊粒子を除去するための手段。
【０００８】
また本発明は、前述の装置と、スクラビング液成分の詰替え分、又は濃縮スクラビング液の詰替え分、又はすぐに使用可能なスクラビング液の詰替え分とを含み、場合によってはスクラビング液、取入空気、排出空気のいずれかのための即使用可能な適切なフィルタ・アプリケーションを備えたキットも提供する。
【０００９】
また本発明の非限定的な一態様では、空気と、活性固体粒子を含有する液体、好ましくは非蒸発性の液体とを接触させることを含む空気洗浄方法も提供する。
【発明を実施するための最良の形態】
【００１０】
本明細書は、本発明を特に指摘し明確に請求する特許請求の範囲をもって結論とするが、本発明は添付の図面に即した以下の説明からさらに理解されるものと考えられる。
【００１１】
（洗浄装置）
本発明に使用する好ましい装置は、空気とスクラビング液との接触に役立ついずれかの種類の装置である。具体的にこの目的に好適であるのは、ベンチュリ式スクラバー（scrubber）（ベンチュリ効果を介して空気と液体を接触させる）、動的スクラバー（空気の霧状・微細吹付けの中の液体の幕（curtain）を介して空気と液体を接触させる）、噴霧スクラバー（液体の微細な霧又は液滴を空気に噴霧することによって空気と液体を接触させる）、回転スクラバー（高剪断で回転ファンの中心から液体を送り、ファン・ケーシング内で混合する）、発泡スクラバー（液体リザーバ内に空気を通過させ、液体自体に接触する微小泡を形成する）、充填カラム・スクラバー（カラムの固体充填物質を介して空気と液体を接触させる）、流動床スクラバー（カラム充填物質は充填されていないが、その中を通過する液体によって移動される）、回転ドラムスクラバー（スクラビング液内で回転してその表面全体を濡らすいくつかのパドル・ドラムを介して、液体と空気とを接触させる）である。
【００１２】
本発明において最も好ましいスクラバー・アプリケーションは、一段式又は多段式充填スクラバーのような充填カラム・スクラバーである。本発明に使用するのに好適な種類の充填材料は、ランダム充填剤（ラッシヒリング、ポールリング、他のいずれかのリング、マーブルガラス、プラスチックの球体又は円筒、金属フォーム、及び表面積の大きいいずれかのもの）、あるいは構造化充填剤（造形金属又はプラスチックシート、例えばスルザー製のメラパック（Mellapak）材料）である。
【００１３】
本発明の装置は、本発明の非限定的な一実施形態を一般的な概略図で示す図１を参照すれば、より容易に理解することができる。ここで図１を参照すると、この装置は、周囲空気の取入口１と、浄化空気の排出口２と、この実施例では充填カラム・スクラバー３である洗浄コア（これが分配装置２０を介してスクラバーの最上部からスクラビング液の微細液滴噴霧を発生させ、その中に下方部分から周囲空気が流入する。１９で表される領域内には、好適に設計された充填物又は多孔質エレメントの媒体が満たされており、その場所に空気と液体スクラビング液との向流接触が形成されて周囲空気中に溶解又は分散した不純物が除去される）と、供給タンク５からスクラビング液を供給するための取入口４と、使用済みスクラビング液を排出するための排出口６と、周囲空気を装置に引き込み、空気を装置内に流し、浄化空気を装置から排出するためのブロワ７とを含む。スクラバーは、図面には示していないが、充填カラムの通常運転条件下で最終的に発生することのある液滴の一部又は全体を保持するために、デミスタをさらに含むことができる。周囲空気中に含まれる、例えば１０〜１００μｍを超える大きい粒子を排除するための機械式取入口フィルタ８と、この実施例では浄化空気からサブミクロンサイズに至るまでの残留浮遊固体及び液体粒子を排除するための静電集塵装置である排出口フィルタ９とがさらに設けられている。さらに、この装置は、スクラバー３内にスクラビング液を循環させるポンプ１０を含む。再循環ライン内には、ＵＶ室１１が設けられていて、再循環時にスクラビング液を照射することで、スクラビング液中に含まれている過酸化物又は光退色剤によって有機及び生物学的コンタミ物質の破壊を触媒する。また再循環ラインは、スクラバー３に再循環させる前に捕捉された気中粒子状物質をスクラビング液から排除するための着脱式機械フィルタ１２を含む。陰イオン放出装置１３（イオナイザ）が設けられており、オゾンを捕捉する好適な材料の永久フィルタ又は一時フィルタがそれにさらに続く。スクラビング液の消尽度を決定するために、ＵＶ放射室１１の上流又は下流に濁度センサを設けてもよく、これが装置の汎用マイクロプロセッサ・コントローラを介してスクラビング液の消尽度を制御する。スクラビング液の消尽度に応じて、その一部又は全てが消尽スクラビング液のための回収タンク１６に導かれる。供給タンク５には、すぐに使用可能なスクラビング液を供給してもよいし、別個に、取入口１４を介して液体溶媒、好ましくは水を供給し、取入口１５を介して他の成分とさらなる任意添加剤とを供給してもよい。ひいては例えば超音波振動装置を用いて、供給タンク５内又は上流の成分からスクラビング液が調製される。装置はさらにバイパス・ライン１７を含むので、吸入空気すべてを取入口フィルタ８及び排出口フィルタ８に通過させながら、吸入空気の一部分だけをスクラバー３内でスクラビング液によって処理することもできる。
【００１４】
図２は、他の非限定的な実施形態を示しており、２２で表されるスクラビング装置が回転ドラムの形態をしている。スクラビング液２４は、スクラビング液２４内で回転する１つ以上の回転パドル・ドラム２６によって、洗浄すべき空気に接触する。
【００１５】
図３は、他の非限定的な実施形態を示す概略図であり、一般に参照番号２２で表されるスクラビング装置が充填カラムの形態をしている。スクラビング装置２２は、空気取入口１、空気排出口２、スクラビング液のための供給タンク５、ファン７、前置フィルタ８、ＵＶ／溶液ブースタ１１、水スクラビング部２８、静電集塵部３０、デミスタ３２、任意で冷却ステーション３４、及びもう１つのフィルタ３６を含む。
【００１６】
図４〜７は、スクラビング装置を含むユニットの非限定的な例を示す。図４〜７に示すように、ユニット（又はスクラビング装置）２２は、空気取入口１、空気排出口２、スクラバー３、スクラビング液のための詰替え区画又はタンク５、ファン７、前置フィルタ８、静電集塵部３０、デミスタ３２、フィルタ３６、及び１つ以上の制御パネル３８を含む。
【００１７】
装置は、好ましくは「独立型」の装置である。本明細書で使用する時、用語「独立型」は、作動するために水パイプ、圧縮空気供給パイプ、及びダクトなどに連結されずに、それ自体で作動できる装置を指す。装置は、好ましくは、閉じた流路設計を有し、産業用の空気洗浄装置とは対照的に自給式である。装置において使用される流体は、好ましくは再循環される。いうまでもなく、装置を壁の電気コンセントに連結することができ、それでもなお独立型装置とみなすことができる。装置を壁又は他の表面に貼り付けられた独立型装置にして、携帯型でなくしてもよい。しかしながら、やはり装置が携帯型であることが好ましい。本明細書で使用する時、用語「携帯型」は、ユーザが移動させることができる装置を指す。携帯型の場合、装置は、持ち運ぶことによって、又は車輪上で転がすことによってなど、多数の方法で移動させることができる。
【００１８】
しかしながら、他の実施形態では、装置を必ずしも独立型装置又は携帯型装置のいずれかにする必要はない。このような他の実施形態では、例えば装置を加熱、換気、及び／又は空調システムの一部にしてよい。また、装置の使用は、建物内での使用だけに限定されない。他の実施形態では、例えば装置を自動車、航空機、及び他の種類の車両のような車両内で使用してもよい。
【００１９】
装置は、図４〜７に示すように、適切な材料、好ましくはプラスチック製のケーシングで囲ってもよい。ケーシングは、装置の輸送を容易にするいずれかの手段、例えばケーシング底部に位置決めされた車輪を含んでよい。さらに、ケーシングはまた、その操作を容易にする手段、例えば表示制御ボードを含んでもよく、装置に設置されたセンサを介して自動で、あるいは消費者が手動で、装置のマイクロプロセッサ・コントローラを介して、装置の運転モードを制御又は変更することができる。
【００２０】
装置に好適な液体ポンプは、スクラバーの土台又は循環ループ内に置くことができる。様々な技術を有益に使用することができ、例えば、ギアポンプ、メンブレンポンプ、ダイアフラムポンプ、蠕動ポンプ、及びモノポンプ（とりわけ液体懸濁液又は粘性の液体中の大きい粒子をスクラビング液として使用する場合）がある。
【００２１】
前述のように、静電集塵器（ＥＳＰ）を装置において使用することができる。装置は、公知のＥＳＰの実質上いずれの種類のものと適合させることもでき、その中で最も一般的であるのが：ワイヤ／チューブ型ＥＳＰ、ワイヤ／プレート型ＥＳＰ、及び二段式（double stage）ＥＳＰである。ＥＳＰの放電極は、通常は円筒形のワイヤであるが、バーブ付きワイヤ、スパイク付きワイヤ、正方形断面ワイヤ、グリッド（プレート型ＥＳＰの場合）、一連のスパイクにすることもできる。ＥＳＰ収集装置は、通常は平板であるが、グリッド、ポケット付きプレート、チューブ一式にすることもできる。様々な材料を使用することができ、通常は導電性の金属材料であるが、導電性コーティングされた含浸プラスチックシートにすることもできる。またＥＳＰは、収集プレート上に液体を噴霧することによって、あるいは液体の被膜をプレートに流すことによって、湿潤状態で作動させることもできる。いずれの場合にも、液体の機能は、塵埃粒子を捕捉し、収集された塵埃粒子を取り去ることである。この特定の応用例では、液体を、本発明の浄化装置のスクラビング液、又は異なるもの（例えば、水又は希釈された水性苛性溶液）のいずれかにすることができる。いずれの場合にも、収集プレートに送り戻す前に液体を濾過してよい。
【００２２】
装置において使用される空気ファンは、空気取入口（スクラバー・カラムに向けて排気する作動をする）又は空気排出口（スクラバー・カラムに向けて吸引する作動をする）のような、システムの様々な場所に設置することができる。ファンの種類は、単段式又は２段式の遠心ファン又は軸流ファンにすることができる。
【００２３】
装置内において冷蔵ユニットを使用することが可能である。冷蔵ユニットの目的は、スクラビング液組成物を本明細書に記載のような「非蒸発性」とみなすことのできる温度（露点温度）に維持することである。このような冷蔵ユニットは、当該技術分野において公知のいずれかのシステムによって達成することができ、例えば、ランキン（Rankin）蒸気圧縮サイクル、ペルチェ（Peltier）セル、又は磁気冷蔵サイクルがある。
【００２４】
最も好ましい冷蔵ユニットは、ランキン蒸気圧縮サイクルを利用する。この場合、スクラビング液は通常、第１熱交換器（蒸発器）を通って流れ、ランキンサイクルにおいて使用される冷媒液に熱を放出する。冷却されたスクラビング液は、スクラバー内で起こるスクラビング液と空気との密接な相互作用の結果として空気流の温度を減少させる。次いで、第２熱交換器（凝縮器）が、冷媒から熱を回収することによって排出空気の温度を再平衡させることができる。このような応用例では、取入空気及び排出空気がほぼ同じ温度及び相対湿度状態である。
【００２５】
使用されるスクラビング液の特徴が、その成分固有の化学的性質により室温でも「非蒸発性」である時には、冷蔵ユニットは不要である。
【００２６】
本発明によれば、前述の装置をスクラビング液を用いて作動させることによって、粒子状不純物ならびに蒸気／ガス状コンタミ物質、特にＶＯＣ、ガス及び遊離ラジカルを吸着することができ、これによって室内周囲空気を浄化及び濃縮できることがわかった。さらに、前記洗浄コアの排出口を、空気中に浮遊する固体粒子を除去するいずれかの濾過手段と組み合わせると、前記濾過手段の交換又は洗浄頻度が減少し、その運転時間が増加することもわかった。本発明の装置は、スクラビング液を取り込み、前記スクラビング液と接触させることによって周囲空気中に溶解又は分散した不純物を取り除く手段（以下では「洗浄コア」とも呼ぶ）を含んでいる。この洗浄コアは、吸入周囲空気との接触を確実にし、空気とスクラビング液との間の効率的な物質交換を可能にし推進する、スクラビング液の好適な支持体の働きをする。スクラビング液の最適効率を保証するために、スクラビング液をスクラビング液供給タンクから洗浄コアに周期的又は継続的に供給することができる。スクラビング液の使用及び処分は、消費者にはフィルタの頻繁な交換よりもはるかに単純且つ自然な作業である。この目的で、装置は、使用済みスクラビング液を排出する排出口と、好ましくは消尽したスクラビング液を周期的又は継続的に回収できる回収タンクとを含む。より単純な実施形態では、スクラビング液の取入口及び排出口を同じポートにしてもよい。
【００２７】
好ましくは、本発明による装置は、洗浄コアの目詰まりを引き起こすことのある周囲空気中に含まれる大きい粒子、例えば１０〜１００μｍ以上の粒子を排除するために、洗浄コアの直前に取入口フィルタ、好ましくは機械フィルタを含むが、他のいずれの種類の微粒子フィルタを適用することもできる。また好ましくは、装置は、５〜１０μｍ未満のような小さい固体粒子及び／又は液滴、あるいは浄化空気中に含まれるサブミクロンの粒子、例えば０．３μｍ未満の粒子までも排除するために、浄化空気の排出口の直前に１つ以上の排出口フィルタを含む。一実施形態によれば、この排出口フィルタは静電集塵装置であり、その後に任意でオゾン捕捉手段が続く。またこのような静電集塵器は、浄化空気に陰イオンを放出するイオナイザの働きもすることができる。代替的な実施形態では、浄化空気を処理する別個のイオナイザがあり、その後に任意で浄化空気中に含まれるオゾンを捕捉する手段が続く。粒子状物質を除去する他の好適なフィルタには、例えば、ガラスファイバー・フィルタ、静電フィルタ、及び不織布フィルタ、例えばＨＥＰＡ又はＵＬＰＡ型が挙げられる。
【００２８】
さらに好ましくは、本発明による装置は、前述のように排出される前に、その吸着能力を最大限に利用するために、洗浄コアを通してスクラビング液を周期的又は継続的に再循環させる再循環システム又は手段を含む。スクラビング液の再循環を用いる時には、洗浄コアへの再循環時にスクラビング液に照射するためのＵＶ放射手段を提供することも好ましく、これにより、スクラビング液中に存在することのある過酸化物又は光退色剤によって有機及び生物学的コンタミ物質の破壊を触媒する。さらに好ましくは、洗浄コアに再循環する前にスクラビング液中の固体物質を除去するための永久又は交換可能なフィルタを設け、これによりスクラビング液の利用を延長させる。任意で、本発明による装置は、吸収された汚染物質をスクラビング液から除去するために、スクラビング液再循環ループ内に固体吸着剤充填床を含む。
【００２９】
スクラビング液が洗浄コアの濾過及び／又は洗浄及び／又は濃縮を助けるものとしてそれ以上使用できない点に達した時点を確立するために、スクラビング液の消尽度を決定するための減損センサ又はセンサ手段を提供することが好ましい。このセンサ手段は、例えば、濁度センサ、又はｐＨセンサ、あるいは目視検査のための透明制御窓にすることができる。
【００３０】
洗浄コアは、それが吸入空気とスクラビング液との間に高い表面境界面を形成する傾向にあれば、様々な性質、構造、及び設計を有してよい。一実施形態によれば、洗浄コアは、吸入周囲空気と接触させるためのスクラビング液の微細な液滴噴霧を発生する、産業用噴霧スクラバーの小型形態である。このようなスクラバーは、空気から蒸気／ガス状コンタミ物質を取り除く非常に効率的な手段である。他の実施形態によれば、洗浄コアは、好ましくは超音波振動装置と組み合わされた、吸入周囲空気がそれを通って泡立つスクラビング液が入っている発泡容器である。
【００３１】
好ましい実施形態によれば、洗浄コアは、前記充填エレメントの上方部分に配置されたスクラビング液分配装置からスクラビング液を浸透させることができる、好適に設計された充填物又は多孔質エレメントで満たされたカラムである。前述の洗浄コアは、空気とスクラビング液とが並流、又は逆流になるように、あるいは好ましくは、例えば底部からの空気取入口及び最上部からの空気排出口を提供することによって、あるいは最上部からのスクラビング液取入口及び底部からのスクラビング液排出口を提供することによって、向流になるように作動する。スクラビング技術及び／又は幾何学構造のいずれの組み合わせも使用することができる。
【００３２】
スクラビング液は、スクラビング液を供給タンクから洗浄コアに供給することによって周期的又は継続的に補給することができる。一実施形態では、供給タンクを単純なコンセント／接続架台にすることができ、この場合、スクラビング液が入っている詰替えカートリッジは、消費者によって差し込まれるか、あるいはいずれかの詰替え可能及び／又は移動可能な貯蔵リザーバにすることもできる。供給タンクはスクラビング液で詰替えることができ、あるいは本発明による装置が、液体溶媒及び任意でさらなる添加剤を別々に供給する手段と、例えば攪拌装置又は超音波振動装置を用いてスクラビング液供給タンクの内部又は上流からスクラビング液を調製する手段とを含む。
【００３３】
使用済みスクラビング液を排出する排出口は、使用済みスクラビング液の排出を容易にするために装置上に位置決めされた単純な栓（tap）、あるいは使用済みスクラビング液をそこから注ぎ出すことのできるいずれかの貯蔵タンク（着脱可能又は着脱不可能なもの）にすることができる。
【００３４】
また本発明による装置は、装置の作動を最適化及びカスタム化するために、設置されたセンサによって自動で、又は手動で装置の制御ボードを介して相互作用できる、マイクロプロセッサのような、制御機器、又は作動を制御する手段を含んでもよい。
【００３５】
例えば、装置に表示ボードを設けることができ、消費者がスイッチによって空気流速を変更するか、あるいは排出口イオナイザのような機械の様々な装置を活性化／不活性化させる選択をしてもよい。
【００３６】
他の実施例では、装置には、最も適切な時に機械のオン／オフを切り換える又は機械の操作に作用する、ＶＯＣ、臭気、湿度、温度、塵埃センサのような自動センサを実装することができる。
【００３７】
また本発明による装置は、空気エンハンサー、例えば芳香剤又は香料を浄化空気に加える手段も含んでよい。
【００３８】
また本発明による装置は、周囲空気を洗浄コア周りにバイパスさせるラインを含んで、吸入空気の一部分だけをスクラビング液で処理してもよい。好ましくはこのバイパス・ラインは、存在する場合には取入口フィルタの下流であって、存在する場合には排出口フィルタの上流に設置される。
【００３９】
他の好ましい実施形態では、本発明の装置は、室内空気洗浄装置であるだけでなく、装置内にさらに従来式の又は従来式でない空気湿度制御装置又は手段を設けることによって空気洗浄及び湿度制御装置にもなる。好ましくは、空気が空気取入口で装置内に取り入れられる空気と同じ湿度を有するように、装置が装置から排出される空気の湿度を制御する。湿度制御手段は、一例として、ただしこれだけに限るものではないが、空気排出口の前に空気から湿分を取り出すための冷却ユニット（空気を加熱して周囲温度に戻すためのヒーターを伴う）、非蒸発性スクラビング液、及び／又は空気排出口前に配置された乾燥剤材料を含むことができる。
【００４０】
（スクラビング液）
本発明に使用できるスクラビング液は、水性又は本質的に非水性の溶媒と、さらに、界面活性剤、有機溶媒、無機又は有機塩、油、酵素、漂白剤、金属含有漂白触媒、有機ポリマー化合物、金属イオン封鎖系、キレート剤、ビルダー、包接錯体、抑泡剤、分散剤、乾燥剤化合物、固体吸着媒、光退色剤、着色剤、香料、清浄薬、殺生物剤、抗菌剤及び抗微生物剤、酸性及びアルカリ性剤から成る群から選択される添加剤とを含有する。界面活性剤及び任意添加剤は、空気と液体との間の界面の物質移動、ならびに空気中に含まれる蒸気／ガス状コンタミ物質の可溶化を促進する。従って、界面活性剤及び任意添加剤を使用して、スクラビング液がＶＯＣ及び他のガス状汚染物質を可溶化又は吸収する能力を高めることができる。過ホウ酸のような漂白剤又は過酸化物のような光退色剤を使用して、洗浄コア内にスクラビング液を再循環させる間に、好ましくはＵＶ放射手段又はＵＶ放射室の追加支援によって、ＶＯＣを一旦吸収してから破壊することができる。微生物、バクテリア、及びウイルスは、清浄薬、殺生物剤、抗菌剤、及び抗微生物剤をさらに使用することによって破壊することができる。好ましくは、本発明の装置に使用すべきスクラビング液が、液体溶媒として水を含む水性スクラビング液である。
【００４１】
空気洗浄装置の内部で使用すべきスクラビング液は、非限定的な２つの実施形態では次のものを含むことができる：
水性スクラビング液、すなわち以下の段落に記載する一覧から選択される。
−典型的な蒸気圧が０．１ｍｂａｒ未満の成分を添加された水を主体とするスクラビング液。あるいは、
−本質的に非水性のスクラビング液、すなわち親水性又は疎水性で、空気洗浄装置における使用時に蒸発しないように典型的な蒸気圧が０．１ｍｂａｒ未満である、非水性溶媒を主体とするスクラビング液。このような溶媒の例は、エトキシ又はプロポキシ機能を有するポリエーテル類、例えば、ポリエチレングリコール類、ポリプロピレングリコール類、ポリブチレングリコール類、又はこれらのコポリマー、グリセリン、プロピレングリコール、及び他のポリアルコール類にすることができる。他の例は、パラフィン類、オレフィン類、トリグリセリド類、又は他の脂質類のような油類にすることができる。このような非水性溶媒は、ある割合の水をその組成中に含んでもよく、又は含まなくてもよい。
【００４２】
水性又は本質的に非水性の両方の種類のスクラビング液は、平衡に達するまで空気の湿分から水を吸収可能なことがあり、この平衡に達した後は、スクラビング液中に吸収された水の量が、空気湿分が減少する（乾燥条件）時には空気湿分の新しい平衡に達するまでスクラビング液中の水分量を反映し、空気湿分が増加する時（多湿条件）には新しい平衡に達するまでスクラビング液中の水分量の増加を反映して、室内空気の湿分条件が変化する時にわずかに変化することができる。最終的には、この非水性又は水性スクラビング液は、空気中に存在する湿分と常に平衡を維持することができ、溶媒中の水分含有量をわずかに変化させ、その時点での湿分レベルに調整するということができる。スクラビング液は、「非蒸発性スクラビング液」と呼ぶことができる。好ましくは、本明細書で有用な非蒸発性の液が油類でない。
【００４３】
水性又は非水性のスクラビング液の両方が、前に説明したようなその化学的特徴に関して、あるいは水がスクラビング液から蒸発する傾向が空気の湿分含量と平衡する正確な又はそれより低い温度に維持する冷却システムの適用に関して、非蒸発性のスクラビング液としての挙動を示すことができる（前記温度は「空気露点温度」と呼ばれる）。冷却システムは、稼動時に洗浄装置内部のスクラビング液に適用される従来式のいずれかの冷蔵装置にすることができる。他の実施形態では、捕捉された過剰な湿気を凝縮させるために、冷却サイクルを液体の代わりに空気に適用することができる。
【００４４】
最終的なスクラビング液は、次の方法のうちの１つから得ることができる。
１）スクラビング液をスクラビング液と同一にする、すなわち希釈の必要がない。
２）濃い又は薄い液体又はゲルにすることのできる濃縮スクラビング液を水又は他の溶媒で希釈することによってスクラビング液を得る。あるいは、
３）粉末、あるいは錠剤、丸薬などのような他の固体形態であり得る固体を、水又は他の溶媒で希釈することによってスクラビング液を得る。
【００４５】
（スクラビング液のための任意添加剤）
以下に、本発明によるスクラビング液に使用するための好適且つ任意の添加剤について記載する。
【００４６】
（界面活性剤）
非イオン性界面活性剤
本発明で使用できる非イオン性界面活性剤は、本質的に、アルコキシル化されたいずれかの非イオン性界面活性剤を含んでよい。エトキシル化及びプロポキシル化非イオン性界面活性剤が好ましい。本発明で使用できる非イオン性界面活性剤はまた、ポリヒドロキシ脂肪酸アミド類、アルコキシル化脂肪酸アミド、脂肪酸のアルキルエステル類、及びアルキル多糖類（米国特許第４，５６５，６４７号）も含んでよい。やはり本発明の目的で非イオン性界面活性剤として好適であるのは、一級又は三級アミン類の群から選択される半極性非イオン性界面活性剤及び補助界面活性剤である。このような構成成分は、いずれかの好適な量で含まれてよい。その中に含める場合、本発明のスクラビング液は、通常そのような非イオン性界面活性剤を約０．１重量％〜約４０重量％、好ましくは約１重量％〜約１５重量％含む。（本明細書で特に指定しない限り、本願に記載するすべてのパーセンテージは重量を基準にしている。）
【００４７】
陰イオン性界面活性剤：
スクラビング液に含まれるのに好適な陰イオン性界面活性剤は、直鎖アルキルベンゼンスルホネート、アルキルエステルスルホネート界面活性剤、及びアルキルサルフェート界面活性剤である。また、洗浄目的に有用な他の陰イオン性界面活性剤を、本発明に含んでもよい。。これらには、石鹸の塩（例えば、ナトリウム、カリウム、アンモニウム、及び置換アンモニウム塩、例えばモノ−、ジ−、及びトリエタノールアミン塩を含む）、二級アルカンスルホネート類のＣ8〜Ｃ22一級化物、Ｃ8〜Ｃ24オレフィンスルホネート類、例えば英国特許第１，０８２，１７９号に記載のようにアルカリ土類金属クエン酸塩の加熱縮合生成物のスルホン化によって調製されるスルホン化ポリカルボン酸、Ｃ8〜Ｃ24アルキルポリグリコールエーテルサルフェート類（１０モルまでのエチレンオキシドを含有）；アルキルグリセロールスルホネート類、脂肪族アシルグリセロールスルホネート類、脂肪族オレイルグリセロールサルフェート類、アルキルフェノールエチレンオキシドエーテルサルフェート類、パラフィンスルホネート類、アルキルホスフェート類、アシルイセチオネート類のようなイセチオネート類、Ｎ−アシルタウレート類、アルキルスクシナメート類及びスルホスクシネート類、スルホスクシネート類のモノエステル類（とりわけ飽和及び不飽和Ｃ12〜Ｃ18モノエステル類）及びスルホスクシネート類のジエステル類（とりわけ飽和及び不飽和Ｃ6〜Ｃ12ジエステル類）、アシルサルコシネート類、アルキルポリグルコシド（以下に記載する非イオン性非硫酸化化合物）の硫酸エステル塩類のようなアルキル多糖類の硫酸エステル塩類、分枝鎖一級アルキルサルフェート類、及びアルキルポリエトキシカルボキシレート類を挙げることができる。きわめて好ましい陰イオン性界面活性剤には、アルキルアルコキシル化サルフェート界面活性剤が挙げられる。さらに、本発明の用途に好適な陰イオン性界面活性剤は、ペルフルオロアルキルサルフェート類、ペルフルオロアルキルカルボキシレート類、ペルフルオロアルキルホスフェート類、ペルフルオロアルキルサルフェート類のような、フッ素化陰イオン性界面活性剤である。
【００４８】
陰イオン性活性剤の他の例は、「界面活性剤及び洗剤（Surface Active Agents and Detergents）」（第Ｉ及びＩＩ巻、シュワルツ（Schwartz）、ペリー（Perry）、及びベルク（Berch））に記載されている。またこのような様々な界面活性剤は、１９７５年１２月３０日に発行されたローリン（Laughlin）他の米国特許第３，９２９，６７８号の２３段５８行〜２９段２３行にも総括的に開示されている（参照により本明細書に組み込む）。
【００４９】
このような構成成分を、いずれかの好適な量で含んでよい。その中に含まれる場合、本発明のスクラビング液は、通常そのような陰イオン性界面活性剤を約０．１重量％〜約４０重量％、好ましくは約１重量％〜約１５重量％含む。
【００５０】
陽イオン性界面活性剤：
いずれの陽イオン性界面活性剤も、本発明で使用するのに好適である。このような陽イオン性界面活性剤の例には、アンモニウム界面活性剤が挙げられる。
本明細書で有用な他の陽イオン性界面活性剤は、１９８０年１０月１４日発行のカンブレ（Cambre）の米国特許第４，２２８，０４４号、ならびにＥＰ−Ａ−０００，２２４にも記載されている。
【００５１】
このような構成成分を、いずれかの好適な量で含んでよい。その中に含まれる場合、本発明のスクラビング液は、通常そのような陽イオン性界面活性剤を約０．１重量％〜約４０重量％、好ましくは約１重量％〜約１５重量％含む。
【００５２】
両性界面活性剤：
両性界面活性剤も本発明で使用するのに好適である。これらの界面活性剤は、二級又は三級アミンの脂肪族誘導体、若しくは脂肪族基を直鎖又は分枝鎖にできる複素環式二級及び三級アミンの脂肪族誘導体として広く記載することができる。両性界面活性剤の例については、１９７５年１２月３０日発行のラフリン（Laughlin）他の米国特許第３，９２９，６７８号、１９段１８〜３５行を参照のこと。本発明の用途に好適な他の陽イオン性界面活性剤は、ペルフルオロアルキルアンモニウム界面活性剤のようなフッ素化陽イオン性界面活性剤である。
【００５３】
このような構成成分を、いずれかの好適な量で含んでよい。その中に含める場合、本発明のスクラビング液は、通常そのような両性界面活性剤を約０．１重量％〜約４０重量％、好ましくは約１重量％〜約１５重量％含む。
【００５４】
双イオン性界面活性剤：
双イオン性界面活性剤も本明細で使用するのに好適である。これらの界面活性剤は、二級及び三級アミン類の誘導体、複素環式二級及び三級アミン類の誘導体、あるいは四級アンモニウム、四級ホスホニウム、又は三級スルホニウム化合物の誘導体として広く記載することができる。双イオン性界面活性剤の例については、１９７５年１２月３０日発行のラフリン（Laughlin）他の米国特許第３，９２９，６７８号、１９段３８行目〜２２段４８行目を参照のこと。
【００５５】
このような構成成分を、いずれかの好適な量で含んでよい。その中に含める場合、本発明のスクラビング液は、通常そのような双イオン性界面活性剤を約０．１重量％〜約４０重量％、好ましくは約１重量％〜約１５重量％含む。
【００５６】
（油類）
スクラビング液の配合に使用できる成分の他の好適な部類は、油類、あるいは水と完全又は部分的に非混和性であるいずれかの疎水性液状物質である。油類は、スクラビング液の疎水性部分を表し、特に、揮発性芳香族化合物のような疎水性ガス状汚染物質の吸収に好適である。油類は、例えば、当該技術分野において周知である多数の方法によって乳化又はミクロ乳化することができる。
【００５７】
スクラビング液に使用するのに好適な油類の例には、パラフィン類（直鎖又は分枝鎖炭化水素類、例えばスクアラン）、脂肪酸類（オレイン酸、パルミチン酸、ステアリン酸、リノール酸）及びそれらのグリセリド類、天然油類（パーム油、ココヤシ油、亜麻仁油、ヒマシ油、綿実油、大豆油）がある。
【００５８】
このような構成成分を、いずれかの好適な量で含んでよい。その中に含まれる場合、本発明のスクラビング液は、通常このような油類を約０．００１重量％〜約１００重量％、好ましくは約１重量％〜約３０重量％、最も好ましくは２重量％〜約２０重量％含む。
【００５９】
（酵素）
プロテアーゼ
好適なプロテアーゼは、枯草菌（B.subtilis）及びバシラス・リケニフォルミス（B.licheniformis）の特定の株から得られるサブチリシン類である（サブチリシンＢＰＮ及びＢＰＮ’）。好適なプロテアーゼの１つは、ｐＨ８〜１２の範囲全体にわたって最大活性を有するバシラス株から得られ、デンマークのノボ・インダストリーズ社（Novo Industries A/S）（以後「ノボ」と呼ぶ）からＥＳＰＥＲＡＳＥ（登録商標）として開発及び販売されている。この酵素及び類似酵素の調製については、ノボ（Novo）のＧＢ１２４３７８４に記載されている。他の好適なプロテアーゼ類には、ノボ社（Novo）から市販されているアルカラーゼ（ALCALASE）（登録商標）、デュラザイム（DURAZYM）（登録商標）、及びサビナーゼ（SAVINASE）（登録商標）（枯草菌（Bacillius subtilis）由来のプロテアーゼ・サブチリシン３０９）、ならびに、ヒスト・ブロカデス社（Gist-Brocades）から市販されているマキサターゼ（MAXATASE）（登録商標）、マキサカル（MAXACAL）（登録商標）、プロペラーゼ（PROPERASE）（登録商標）、及びマキサペム（MAXAPEM）（登録商標）（タンパク質改変Ｍａｘａｃａｌ）が挙げられる。また、特許出願ＥＰ２５１４４６及びＰＣＴ国際公開特許ＷＯ９１／０６６３７に記載のプロテアーゼ類、ＷＯ９１／０２７９２に記載のプロテアーゼＢＬＡＰ（登録商標）、及びＷＯ９５／２３２２１に記載のそれらの変異型も本発明に好適である。ノボ（Novo）のＰＣＴ国際公開特許ＷＯ９３／１８１４０Ａに記載のバシラス種（Bacillus sp.）ＮＣＩＭＢ４０３３８由来の高ｐＨプロテアーゼも参照のこと。プロテアーゼ、１つ以上の他の酵素、及び可逆的プロテアーゼ阻害剤を含む配合については、ノボ（Novo）のＰＣＴ国際公開特許ＷＯ９２／０３５２９Ａに記載されている。所望である際、吸収が低減され加水分解が高められたプロテアーゼが、プロクター・アンド・ギャンブル社（Procter & Gamble）のＰＣＴ国際公開特許ＷＯ９５／０７７９１に記載のように入手可能である。本明細書で好適な洗剤のための組換え型トリプシン様プロテアーゼは、ノボ（Novo）のＰＣＴ国際公開特許ＷＯ９４／２５５８３に記載されている。他の好適なプロテアーゼは、ユニレバー（Unilever）によるＥＰ５１６，２００に記載されている。
【００６０】
またタンパク質分解酵素には、１９８７年４月２８日出願のＥＰ２５１４４６に記載のもの（特に、１７、２４、及び９８ページに記載の変異型Ｙ２１７Ｌ）、ならびに１９８６年１０月２９日発行のベネガス（Venegas）のＥＰ−Ａ−１９９，４０４に記載のような変性細菌性セリンプロテアーゼ類も包含される。好適であるのは、バシラス（Bacillus）由来のアルカリ性セリンプロテアーゼの変異型であって、２７位でリジンがアルギニンと置き換えられ、１０４位でチロシンがバリンと置き換えられ、１２３位でセリンがアスパラギンと置き換えられ、２７４位でアラニンがスレオニンと置き換えられているものである。このプロテアーゼ酵素は、ＰＣＴ国際公開特許ＷＯ９１／０６６３７に記載されている。その遺伝子組換え変異型もまた本明細書に含まれる。
【００６１】
好ましいプロテアーゼは、ＰＣＴ国際公開特許ＷＯ９５／１０５９１及びＷＯ９５／１０５９２に記載のような、天然には見られないアミノ酸配列を有するカルボニル加水分解酵素変異型である。また、ＰＣＴ国際公開特許ＷＯ９５／１０５９１に記載のプロテアーゼのカルボニル加水分解酵素変異型も好適である。
【００６２】
さらに好ましいプロテアーゼ類は、多重置換されたプロテアーゼ変異型である。これらのプロテアーゼ変異型は、アミノ酸残基の置換と併せて、バシラス・アミロリケファシエンス（Bacillus amyloliquefaciens）サブチリシンの１０３位に相当するアミノ酸残基位置に他の自然発生アミノ酸残基を有するアミノ酸残基の置換を含む。その例を、ＰＣＴ国際公開特許ＷＯ９９／２０７２７、ＷＯ９９／２０７２６、及びＷＯ９９／２０７２３（すべて１９９８年１０月２３日プロクター・アンド・ギャンブル社（Procter & Gamble Company）から出願）に見出すことができる。。本発明の目的により好ましいプロテアーゼ類は、ノボ・ノルディスク（Novo Nordisk A/S）から商標名サビナーゼ（Savinase）として販売されているタンパク質分解酵素である。
【００６３】
このような構成成分を、いずれかの好適な量で含んでよい。プロテアーゼ酵素は、普通、スクラビング液組成物の約０．０００１重量％〜約２重量％、好ましくは約０．０００１重量％〜約０．１重量％、より好ましくは約０．００１重量％〜約０．０５重量％の純酵素の濃度でスクラビング液組成物に組み込まれる。
【００６４】
α−アミラーゼ
前述のように、本発明で使用するスクラビング液は、好ましくはα−アミラーゼを含む。本発明の目的に好適なα−アミラーゼ類は、変異アミラーゼ類を組み込む洗浄組成物を記載する、１９９４年２月３日発行のノボ・ノルディスク（Novo Nordisk A/S）のＰＣＴ国際公開特許ＷＯ９４／０２５９７に記載されている。１９９５年４月２０日発行のノボ・ノルディスク（Novo Nordisk A/S）のＰＣＴ国際公開特許ＷＯ９５／１０６０３も参照のこと。洗浄組成物に使用される他の既知のアミラーゼ類には、α−及びβ−アミラーゼの両方が挙げられる。α−アミラーゼ類は、当該技術分野において既知であり、米国特許第５，００３，２５７号、ＥＰ２５２，６６６、ＰＣＴ国際公開特許ＷＯ／９１／００３５３、ＦＲ２，６７６，４５６、ＥＰ２８５，１２３、ＥＰ５２５，６１０、ＥＰ３６８，３４１、及び英国特許明細第１，２９６，８３９号（ノボ（Novo））に開示されるものが挙げられる。その他の好適なアミラーゼ類は、ＰＣＴ国際公開特許ＷＯ９４／１８３１４（１９９４年８月１８日発行）及びＷＯ９６／０５２９５（１９９６年２月２２日発行）（ジェネンコール（Genencor））に記載の安定性を高めたアミラーゼ類、ならびにＷＯ９５／１０６０３（１９９５年４月発行）に開示されるノボ・ノルディスク（Novo Nordisk A/S）から入手可能な直接の親に追加的な変性を有するアミラーゼ変異体である。また、ＥＰ２７７２１６、ＰＣＴ国際公開特許ＷＯ９５／２６３９７、及びＷＯ９６／２３８７３（すべてノボ・ノルディスク（Novo Nordisk））に記載のアミラーゼ類も好適である。市販のα−アミラーゼ製品の例には、ジェネンコール（Genencor）のピュラフェクトＯｘＡｍ（Purafect Ox Am）（登録商標）、ならびに、すべてノボ・ノルディスク（Novo Nordisk A/S）（デンマーク）から入手可能なターマミル（Termamyl）（登録商標）、バン（Ban）（登録商標）、フンガミル（Fungamyl）（登録商標）、及びデュラミル（Duramyl）（登録商標）がある。ＰＣＴ国際公開特許ＷＯ９５／２６３９７は、他の好適なアミラーゼ類を記載しており、これは、温度範囲２５℃〜５５℃、ｐＨ値範囲８〜１０で、フェイドバス（Phadebas）（登録商標）α−アミラーゼ活性アッセイによって測定した時に、ターマミル（登録商標）の比活性（specific activity）よりも少なくとも２５％高い比活性を有することを特徴とするα−アミラーゼ類である。ＰＣＴ国際公開特許ＷＯ９６／２３８７３（ノボ・ノルディスク（Novo Nordisk））に記載の、前述の酵素の変異型が好ましい。活性レベル、ならびに熱安定性と高い活性レベルとの組み合わせについて改善された特性を有する他のデンプン分解酵素は、ＰＣＴ国際公開特許ＷＯ９５／３５３８２に記載されている。さらに好適なアミラーゼは、ＰＣＴ国際公開特許ＷＯ９８／２６０７８（ジェネンコール（Genencor））に記載の、改善された安定性を示すＨ変異型α−アミラーゼ酵素である。
【００６５】
このような構成成分を、いずれかの好適な量で含んでよい。α−アミラーゼは、普通、スクラビング液組成物の約０．０００１重量％〜約２重量％、好ましくは約０．０００１重量％〜約０．１重量％、より好ましくは約０．００１重量％〜約０．０５重量％の純酵素の濃度でスクラビング液組成物に組み込まれる。
【００６６】
リパーゼ類：
リパーゼも、スクラビング液に組み込むのに好適である。リパーゼ酵素には、ＥＰ１，３７２，０３４に開示されるシュードモナス・スタッツェリ（Pseudomonas stutzeri）ＡＴＣＣ１９．１５４のようなシュードモナス属の微生物によって産生されるものが挙げられる。好適なリパーゼは、商標名リパーゼＰ「アマノ（Amano）」として天野製薬株式会社（Amano Pharmaceutical Co.Ltd.）（日本、名古屋）から入手可能であり、以後「アマノ−Ｐ」と呼ぶ。その他の好適な市販のリパーゼ類には、クロモバクター・ビスコースム（Chromobacter viscosum）由来のリパーゼであるアマノ−ＣＥＳ（Amano-CES）、例えば、クロモバクター・ビスコースム・バール・リポリチクム（Chromobacter viscosum var.lipolyticum）ＮＲＲＬＢ３６７３（東洋醸造（Toyo Jozo Co.）日本静岡県田方郡）；アメリカ・バイオケミカル社（U.S.Biochemical Corp.）（米国）及びジソインス社（Disoynth Co.）（オランダ）から得られるクロモバクター・ビスコースム・リパーゼ類、ならびにシュードモナス・グラディオリ（Pseudomonas gladioli）由来のリパーゼ類が挙げられる。とりわけ好適なリパーゼ類は、本発明で使用した時に非常に有効であることが見出された、Ｍ１リパーゼＲ及び、リポマックス（Lipomax）Ｒ（登録商標）（ヒスト・ブロカデス（Gist-Brocades））、リポラーゼＲ（Lipolase）、及びリポラーゼ・ウルトラ（Lipolase Ultra）（登録商標）（ノボ（Novo））のようなリパーゼ類である。また、ノボ・ノルディスク（Novo Nordisk）によるＥＰ２５８０６８、ＰＣＴ国際公開特許ＷＯ９２／０５２４９、及びＷＯ９５／２２６１５、ならびにユニレバー（Unilever）によるＷＯ９４／０３５７８、ＷＯ９５／３５３８１、及びＷＯ９６／００２９２に記載の脂肪分解酵素も好適である。
【００６７】
リパーゼの特殊な種類、すなわち境界面の活性化を必要としないリパーゼとみなすことができる、クチナーゼ類［ＥＣ３．１．１．５０］も好適である。クチナーゼ類の洗剤組成物への添加は、例えば、ＰＣＴ国際公開特許出願ＷＯ８８／０９３６７（ジェネンコール（Genencor））、ＷＯ９０／０９４４６（プラント・ジェネティック・システム（Plant Genetic System））、ならびにＷＯ９４／１４９６３及びＷＯ９４／１４９６４（ユニレバー（Unilever））に記載されている。
【００６８】
このような構成成分を、いずれかの好適な量で含んでよい。列挙した酵素は、普通、スクラビング液組成物の約０．０００１重量％〜約２重量％、好ましくは約０．０００１重量％〜約０．１重量％、より好ましくは約０．００１重量％〜約０．０５重量％の純酵素の濃度でスクラビング液組成物に組み込まれる。
【００６９】
セルラーゼ類：
本発明で使用可能なセルラーゼ類には、細菌性セルラーゼ又は真菌性セルラーゼの両方が挙げられる。好ましくは、それらは５〜１２のｐＨ至適性及び５０ＣＥＶＵ／ｍｇ（セルロースの粘度単位）を超える比活性を有する。好適なセルラーゼ類は、米国特許第４，４３５，３０７号（バルベスゴード（Barbesgoard）他）、Ｊ６１０７８３８４、及びＰＣＴ国際公開特許ＷＯ９６／０２６５３に開示されており、それぞれヒュミコーラ・インソレン（Humicola insolens）、トリコデルマ（Trichoderma）、チーラビア（Thielavia）、及びスポロトリカム（Sporotrichum）から産生された真菌性セルラーゼを開示している。ＥＰ７３９９８２は、新規のバシラス（Bacillus）種から単離されたセルラーゼ類を記載している。好適なセルラーゼ類はまた、ＧＢ−Ａ−２０７５０２８、ＧＢ−Ａ−２０９５２７５、ＤＥ−ＯＳ−２２４７８３２、及びＰＣＴ国際公開特許ＷＯ９５／２６３９８にも記載されている。
【００７０】
とりわけ好適なセルラーゼ類の例は、１９９１年１１月６日出願のノボ（Novo）のＥＰ−Ａ−９１２０２８７９．２に記載されているセルラーゼ類である。ケアザイム（Carezyme）及びセルザイム（Celluzyme）（ノボ・ノルディスク（Novo Nordisk A/S））がとりわけ有用である。ＰＣＴ国際公開特許ＷＯ９１／１７２４４及びＷＯ９１／２１８０１も参照のこと。洗浄特性に好適な他のセルラーゼ類は、ＰＣＴ国際公開特許ＷＯ９６／３４０９２、ＷＯ９６／１７９９４、及びＷＯ９５／２４４７１に記載されている。
【００７１】
添加できる他の好適な成分は、酵素の起こり得る分解を保護するための酵素酸化スカベンジャーであり、１９９２年１月３１日出願の同時係属ＥＰ−Ａ−９２８７００１８．６に記載されている。このような酵素酸化スカベンジャーの例は、エトキシル化されたテトラエチレンポリアミン類である。酵素材料の範囲及びそれを配合に組み込むための手段はまた、ジェネンコール・インターナショナル（Genencor International）のＰＣＴ国際公開特許ＷＯ９３／０７２６３Ａ及びＷＯ９３／０７２６０Ａ、ノボ（Novo）のＷＯ８９／０８６９４Ａ、ならびに１９７１年１月５日発行のマッカーティ（McCarty）他の米国特許第３，５５３，１３９号に開示されている。酵素類については、さらに、米国特許第４，１０１，４５７号（プレイス（Place）他、１９７８年７月１８日）及び米国特許第４，５０７，２１９号（ヒューズ（Hughes）、１９８５年３月２６日）に開示されている。液体の配合に有用な酵素材料、ならびにそのような配合へのそれらの組み込みは、米国特許第４，２６１，８６８号（ホラ（Hora）他、１９８１年４月１４日）に開示されている。酵素の安定化系は、例えば、米国特許第３，５１９，５７０号にも記載されている。プロテアーゼ類、キシラナーゼ類、及びセルラーゼ類を提供する有用なバシラス（Bacillus）種ＡＣ１３は、ノボ（Novo）のＰＣＴ国際公開特許ＷＯ９４／０１５３２Ａに記載されている。
【００７２】
このような構成成分を、いずれかの好適な量で含んでよい。列挙した酵素類は、普通、スクラビング液組成物の約０．０００１重量％〜約２重量％、好ましくは約０．０００１重量％〜約０．１重量％、より好ましくは約０．００１重量％〜約０．０５重量％の純酵素の濃度でスクラビング液組成物に組み込まれる。
【００７３】
（漂白）
漂白剤：
本明細書で使用する漂白剤構成成分は、酸素漂白剤、次亜塩素酸塩、ならびに当該技術分野において既知であるその他のものを含め、洗剤組成物に有用ないずれかの漂白剤にすることができる。本発明に好適な漂白剤は、活性化又は非活性化漂白剤にすることができる。
【００７４】
本発明で使用される漂白剤組成物は、過酸素漂白剤を含むことができる。本明細書に用いるのに好適な過酸素漂白剤は、過酸化水素；過酸化水素の水溶性供給源；有機又は無機の過酸及び過酸前駆体；有機ヒドロペルオキシド類；ジアルキルペルオキシド類；ジアシルペルオキシド類；ならびにこれらの混合物を含む群から選択される。
【００７５】
本明細書で使用する時、過酸化水素供給源とは、水と接触するとペルヒドロキシルイオンを生成するいずれかの化合物を含む。本明細書に用いるのに好適な過酸化水素の水溶性供給源には、過炭酸塩、過ホウ酸塩、ジ過硫酸塩、モノ過硫酸塩（デュポン（Dupont）のオキソン（Oxone）ＴＭのようなカロ酸の塩）、過ケイ酸塩、及びこれらの混合物が挙げられる。
【００７６】
本明細書で使用するのに好適なジアシルペルオキシド類には、脂肪族、芳香族、及び脂肪族−芳香族ジアシルペルオキシド、及びこれらの混合物が挙げられる。本明細書で使用するのに好適な脂肪族ジアシルペルオキシド類は、ジラウロイルペルオキシド、ジデカノイルペルオキシド、ジミリストイルペルオキシド、又はそれらの混合物である。本明細書で使用するのに好適な芳香族ジアシルペルオキシドは、例えばベンゾイルペルオキシドである。本明細書で使用するのに好適な脂肪族−芳香族ジアシルペルオキシドは、例えばラウロイルベンゾイルペルオキシドである。
【００７７】
本明細書で使用するのに好適な有機又は無機の過酸には：モノ過硫酸のような過流酸塩類；ジペルオキシドデカン二酸（ＤＰＤＡ）のような過オキソ酸；マグネシウムペルフタル酸；ペルラウリン酸；フタロイルアミドペルオキシカプロン酸（ＰＡＰ）；過安息香酸及びアルキル過安息香酸；ならびにこれらの混合物が挙げられる。
【００７８】
本明細書で使用するのに好適なヒドロペルオキシド類は、三級ブチルヒドロペルオキシド、クミルヒドロペルオキシド、２，４，４−トリメチルペンチル−２−ヒドロペルオキシド、ジ−イソプロピルベンゼン−モノヒドロペルオキシド、三級アミルヒドロペルオキシド、及び２，５−ジメチル−ヘキサン−２，５−ジヒドロペルオキシド、ならびにこれらの混合物である。
【００７９】
本明細書に用いるのに好ましい過酸素漂白剤は、過酸化水素；過酸化水素の水溶性供給源；有機又は無機の過酸；ヒドロペルオキシド類；及びジアシルペルオキシド類；ならびにこれらの混合物から成る群から選択される。本明細書でより好ましい過酸素漂白剤は、過酸化水素、過酸化水素の水溶性供給源、及びジアシルペルオキシド類、ならびにこれらの混合物から成る群から選択される。本明細書にさらに好ましい過酸素漂白剤は、過酸化水素、過酸化水素の水溶性供給源、脂肪族ジアルキルペルオキシド類、芳香族ジアシルペルオキシド類、及び脂肪族−芳香族ジアシルペルオキシド類、ならびにこれらの混合物から成る群から選択される。スクラビング液に使用するのに最も好ましい過酸素漂白剤は、過酸化水素、過酸化水素の水溶性供給源、又はこれらの混合物である。
【００８０】
このような構成成分を、いずれかの好適な量で含んでよい。好ましくは、本明細書の漂白剤組成物は、総組成物の約０．０１重量％〜約３０重量％、好ましくは約０．０５重量％〜約２０重量％、より好ましくは約０．１重量％〜約１５重量％、さらに好ましくは０．１５重量％〜１０重量％、最も好ましくは約０．２重量％〜約１０重量％の前記過酸素漂白剤を含んでよい。
【００８１】
本発明で使用するのに好ましい漂白剤は、ノナノイルオキシベンゼン−スルホネート（ＮＯＢＳ）、Ｎ−ノナノイル−６−アミノカプロン酸のフェノールスルホネートエステル（ＮＡＣＡ−ＯＢＳ）、及び／又はテトラアセチルエチレンジアミン（ＴＡＥＤ）から選択される漂白活性化剤と、過炭酸塩との組み合わせである。また、［Ｍｎ（Ｂｃｙｃｌａｍ）Ｃｌ2］と呼ばれる漂白剤も好ましい。
【００８２】
本発明の目的に好適な漂白剤には、過酸化水素、ＰＢ１、ＰＢ４、及び粒径が４００〜８００ミクロンの過炭酸塩が含まれる。これらの漂白剤構成成分は、１つ以上の酸素漂白剤と、選択された漂白剤に応じて１つ以上の漂白活性化剤とを含むことができる。存在する場合、酸素漂白剤化合物は、通常スクラビング液の０．１重量％〜３０重量％、好ましくは１重量％〜２０重量％の濃度で存在する。
【００８３】
使用できる酸素漂白剤の分類の１つには、過カルボン酸漂白剤及びそれらの塩が包含される。この部類の薬剤の好適な例には、マグネシウムモノペルオキシフタレートヘキサヒドレート、メタクロロ過安息香酸のマグネシウム塩、４−ノニルアミノ−４−オキソペルオキシ酪酸及びジペルオキシドデカン二酸が挙げられる。このような漂白剤は、米国特許第４，４８３，７８１号、米国特許出願第７４０，４４６号、ＥＰ−Ａ−０，１３３，３５４、及び米国特許第４，４１２，９３４号に開示されている。また、きわめて好ましい漂白剤には、米国特許第４，６３４，５５１号に記載の６−ノニルアミノ−６−オキソペルオキシカプロン酸も挙げられる。
【００８４】
使用できる漂白剤の他の分類には、ハロゲン漂白剤が包含される。次亜ハロゲン酸漂白剤の例には、例えば、トリクロロイソシアヌル酸、ならびにジクロロイソシアヌル酸のナトリウム塩及びカリウム塩、ならびにＮ−クロロ及びＮ−ブロモアルカンスルホンアミドが挙げられる。このような物質は、普通、スクラビング液の０．５〜１０重量％、好ましくは１〜５重量％で加えられる。
【００８５】
過酸化水素放出剤は、過加水分解されると漂白活性種として過酸を生成し漂白効果を向上させる、テトラアセチルエチレンジアミン（ＴＡＥＤ）、ノナノイルオキシベンゼン−スルホネート（ＮＯＢＳ、米国特許第４，４１２，９３４号に記載）、３，５，−トリメチルヘキサノールオキシベンゼンスルホネート（ＩＳＯＮＯＢＳ、ＥＰ１２０，５９１に記載の）、又はペンタアセチルグルコース（ＰＡＧ）又はＮ−ノナノイル−６−アミノカプロン酸のフェノールスルホネートエステル（ＮＡＣＡ−ＯＢＳ、ＰＣＴ国際公開特許ＷＯ９４／２８１０６に記載）のような漂白活性化剤と組み合わせて使用することができる。また、ＥＰ６２４１５４及びプロクター・アンド・ギャンブル社（Procter & Gamble）のＰＣＴ国際公開特許ＷＯ９８／０４６６４に開示されているようなアシル化クエン酸エステル類も好適である。これらの漂白剤活性化剤は、一般に本発明のスクラビング液組成物中で、スクラビング液の０．１〜１０重量％、好ましくは０．５〜５重量％の濃度で使用される。
【００８６】
有用な漂白剤は、本発明で使用するための漂白活性化剤及び過酸素漂白化合物を含む過オキソ酸及び漂白系を含めて、ＰＣＴ国際公開特許ＷＯ９５／１０５９２、ＷＯ９７／００９３７、ＷＯ９５／２７７７２、ＷＯ９５／２７７７３、ＷＯ９５／２７７７４、及びＷＯ９５／２７７７５号に記載されている。
【００８７】
また過酸化水素は、酵素作用系（すなわち、酵素及びその基質）に加えることによって存在させてもよく、それが洗浄過程の開始時又は洗浄過程時に過酸化水素を発生することができる。そのような酵素作用系は、ＥＰ  ５３７  ３８１に開示されている。
【００８８】
酸素漂白剤以外の漂白剤もまた当業界において既知であり、本明細書で利用することができる。特に関心のある、ある種の非酸素漂白剤には、スルホン化亜鉛及び／又はアルミニウムフタロシアニン類のような光活性化漂白剤が挙げられる。酸素の存在下で光を照射すると、スルホン化亜鉛フタロシアニンが活性化される。好ましい亜鉛フタロシアニン及び光活性化漂白過程は、米国特許第４，０３３，７１８号に記載されている。通常、スクラビング液は、約０．０２５重量％〜約１．２５重量％のスルホン化亜鉛フタロシアニンを含有する。
【００８９】
本発明の目的で漂白剤種としてやはり好適であるのは、漂白剤組成物中で過酸素供給源と併せて使用してよい漂白促進剤である。漂白促進剤は、一般に、スクラビング液の０．０１〜１０重量％、より好ましくは０．０５〜５重量％の濃度でスクラビング液中に存在する。本発明で使用されるスクラビング液に含まれる漂白促進剤は、双イオン性イミン類、正味負電荷約−１〜約−３を有する陰イオン性イミンポリイオン類、及びこれらの混合物を含む。
【００９０】
好ましい漂白促進剤は、ＰＣＴ国際公開特許ＷＯ９７／１０３２３号に記載の、イミン窒素に結合された陰イオン性帯電部分である。また、米国特許第５，７１０，１１６号に記載のトリ：環式オキサジリジニウム化合物、及びＰＣＴ国際公開特許ＷＯ９８／１６６１４に記載の漂白促進剤も好ましい。これらは、ＰＣＴ国際公開特許ＷＯ９７／１０３２３及び／又はＷＯ９８／１６６１４に記載の方法に従って調製することができる。
【００９１】
（金属含有漂白触媒）
洗剤構成成分として漂白剤を含有する本明細書に記載の組成物は、好ましい構成成分として金属含有漂白触媒をさらに含有してもよい。好ましくは、金属含有漂白触媒が遷移金属含有漂白触媒であり、より好ましくはマンガン又はコバルト含有漂白触媒である。
【００９２】
本発明の組成物は、有効量の漂白触媒を含んでよい。用語「有効量」は、「どのような比較又は使用条件が用いられる場合にも、組成物又は方法による酸化が求められている物質を少なくとも部分的に酸化させるのに十分な、本発明の組成物中又は本発明の方法による使用時に存在する、遷移金属漂白触媒の量」として定義される。
【００９３】
漂白触媒については、例えば、米国特許第５，２４６，６２１号及び米国特許第５，２４４，５９４号（マンガンを主体とする錯体）、米国特許第４，４３０，２４３号（重金属触媒）、米国特許第４，２４６，６１２号及び米国特許第５，２２７，０８４号（単環式マンガン錯体）、米国特許第５，１１４，６１１号（遷移金属錯体）、欧州特許出願公開番号第４０８，１３１号（コバルト錯体触媒）、欧州特許出願公開番号第３８４，５０３号及び３０６，０８９号（金属ポルフィリン触媒）、米国特許第４，７２８，４５５号（マンガン／多座配位子触媒）、米国特許第４，７１１，７４８号及び欧州特許出願公開番号第２２４，９５２号（アルミノケイ酸塩触媒に吸収されたマンガン）、米国特許第４，６０１，８４５号（マンガン及び亜鉛又はマグネシウム塩を含むアルミノケイ酸塩支持体）、米国特許第４，６２６，３７３号（マンガン／配位子触媒）、米国特許第４，１１９，５５７号（鉄錯体触媒）、ドイツ特許明細第２，０５４，０１９号（コバルトキレート剤触媒）、カナダ特許８６６，１９１（遷移金属含有塩）、米国特許第４，４３０，２４３号（マンガンカチオン及び非触媒性金属カチオンを含むキレート剤）、及び米国特許第４，７２８，４５５号（グルコン酸マンガン触媒）に記載されている。
【００９４】
本発明のスクラビング液組成物に組み込むのに好適な他のコバルト触媒は、米国特許第５，５５９，２６１号、５，５８１，００５号、及び５，５９７，９３６号に開示される合成方法に従って製造してよく、これらの開示を参照により本明細書に組み込む。本発明の漂白触媒のさらなる記述は、ＰＣＴ国際公開特許ＷＯ９８／３９４０６Ａ１（１９９８年９月１１日発行）、ＷＯ９８／３９０９８Ａ１（１９９８年９月１１日発行）、及びＷＯ９８／３９３３５Ａ１（１９９８年９月１１日発行）に見出すことができ、、これらすべてを参照により本明細書に組み込む。
【００９５】
漂白性能を向上させ又は調整するために、列記したすべての漂白剤をＵＶ光放射と組み合わせて又は組み合わせずに、洗浄装置内部のスクラビング液中で使用してよい。
【００９６】
光退色剤：
ここに開示する用途では、実質上いかなる種類の光退色剤も使用することができる。好適な光退色剤の例は、酸化チタン（アナターゼ形態）、酸化亜鉛、及び硫化カドミウムである。
【００９７】
このような光退色剤は、多くの異なる方法でスクラビング液に組み込むことができ、それには、スクラビング液中のナノ粒子（１０〜２０ｎｍ）分散、スクラビングカラム充填材料中のコーティング、スクラビング装置の壁面上のコーティング、反応器ケーシング内部に考えられる様々な形状（球、タイル、ラッシヒリング、ポールリングなど）の多数の光退色剤コーティング部分を有する専用反応器ケーシングがある。
【００９８】
本発明に好適なその他の光退色剤は、光活性化漂白剤であり、例えば、フタロシアニン類及びナフタロシアニン類、スルホン化亜鉛及び／又はアルミニウムフタロシアニン類（１９７７年７月５日発行のホルカム（Holcombe）他の米国特許第４，０３３，７１８号を参照）、例えば亜鉛フタロアシアニントリ−及びテトラ−スルホネート類がある。他の好適な化合物は、１９６０年９月６日にモンサント・ケミカル社（Monsanto Chemical Company）に譲渡された特許第２，９５１，７９７号；２，９５１，７９８号；２，９５１，７９９号、及び２，９５１，８００号に記載のポルフィン類、１９５５年４月１２日発行の米国特許第２，７０６，１９９号に出てくるカルボキシル化ポルフィン類、西ドイツＯＬＳ２，０５７，１９４号に記載のアミノスルホニルポルフィン類であり、他の置換ポルフィン類が１月１０日発行のオーストリア特許第２６７，７１１号に開示されており、これらの特許出願を参照により本明細書に組み込む。
【００９９】
このような構成成分は、いずれかの好適な量で含めてよい。使用する場合、スクラビング液組成物は通常、このような漂白剤、とりわけスルホン化亜鉛フタロシアニンを約０．０２５重量％〜約１．２５重量％含有する。
【０１００】
所望であれば、漂白剤化合物は、マンガン化合物を用いて触媒作用を及ぼすことができる。このような化合物は、当該技術分野において周知であり、例えば、米国特許第５，２４６，６２１号、米国特許第５，２４４，５９４号、米国特許第５，１９４，４１６号、米国特許第５，１１４，６０６号、ならびに欧州特許出願公開５４９，２７１Ａ１号、５４９，２７２Ａ１号、５４４，４４０Ａ２号、及び５４４，４９０Ａ１号に開示されるマンガンを主体とする触媒が挙げられる。これらの触媒の好ましい例には、Ｍｎ．ｓｕｐ．ＩＶ．ｓｕｂ．２（ｕ−Ｏ）．ｓｕｂ．３（１，４，７−トリメチル−１，４，７−トリアザシクロノナン）．ｓｕｂ．２（ＰＦ．ｓｕｂ．６）．ｓｕｂ．２、Ｍｎ．ｓｕｐ．ＩＩＩ．ｓｕｂ．２（ｕ−Ｏ）．ｓｕｂ．１（ｕ−ＯＡｃ）．ｓｕｂ．２（１，４，７−トリメチル−１，４，７−トリアザシクロノナン）．ｓｕｂ．２−（ＣｌＯ．ｓｕｂ．４）．ｓｕｂ．２、Ｍｎ．ｓｕｂ．ＩＶ．ｓｕｂ．４（ｕ−Ｏ）．ｓｕｂ．６（１，４，７−トリアザシクロノナン）．ｓｕｂ．４（ＣｌＯ．ｓｕｂ．４）．ｓｕｂ．４、Ｍｎ．ｓｕｂ．ＩＩＩ  Ｍｎ．ｓｕｐ．ＩＶ．ｓｕｂ．４（ｕ−Ｏ）．ｓｕｂ．１（ｕ−ＯＡｃ）．ｓｕｂ．２−（１，４，７−トリメチル−１，４，７−トリアザシクロノナン）．ｓｕｂ．２（ＣｌＯ．ｓｕｂ．４）．ｓｕｂ．３、Ｍｎ．ｓｕｐ．ＩＶ（１，４，７−トリメチル−１，４，７−トリアザシクロノナン）−（ＯＣＨ．ｓｕｂ．３）．ｓｕｂ．３（ＰＦ．ｓｕｂ．６）、及びこれらの混合物が挙げられる。
【０１０１】
その他の金属を主体とする漂白触媒には、米国特許第４，４３０，２４３号、及び米国特許第５，１１４，６１１号に開示されるものが挙げられる。また、漂白性を高めるために様々な錯体配位子をもつマンガンを使用することも、米国特許第４，７２８，４５５号、５，２８４，９４４号、５，２４６，６１２号、５，２５６，７７９号、５，２８０，１１７号、５，２７４，１４７号、５，１５３，１６１号、及び５，２２７，０８４号に報告されている。
【０１０２】
実際問題として、ただし制限を目的としたものではないが、本明細書の組成物及び方法は、洗浄水溶液中において、少なくとも１千万分の１のオーダーの活性漂白触媒種を提供するように調整することができ、好ましくは約０．１ｐｐｍ〜約７００ｐｐｍ、より好ましくは約１ｐｐｍ〜約５００ｐｐｍの触媒種がスクラビング液中に提供される。
【０１０３】
次いでこのような光退色剤を、装置内に組み込まれ、光退色剤に密接に接触した又は非常に近くにあるＵＶ光源によって照射する。ここに開示する用途に好適な、ＵＶ光源から放出される光の波長は、通常１５０〜８００ｎｍ、好ましくは２００ｎｍ〜３００ｎｍ、より好ましくは２２０〜２８０ｎｍである。ここに開示する用途に好適な、ＵＶ光源から放出される光の出力は、通常１ワット〜２００ワット、好ましくは２ワット〜８０ワット、より好ましくは３ワット〜３０ワットである。
【０１０４】
（ビルダー及び金属イオン封鎖剤）
洗剤ビルダー及び金属イオン封鎖剤は、鉱物の硬度の制御を助力するために本明細書の組成物に任意で含むことができる。無機ならびに有機ビルダーを使用することができる。ビルダーは、粒子汚れを落とすのを助けるために、布地洗濯組成物中で通常は使用される。好ましくは組成物が約１０重量％〜約５０重量％のビルダーを含むが、以下でさらに説明するように、存在するビルダーの量は、使用されるビルダーの種類ならびにビルダーを配合する実施形態の種類に応じて異なる。
【０１０５】
このようなビルダーの例は、リン含有ビルダー類（ポリホスフェート類）、ホスホン酸塩類、フチン酸（phutic acid）、ケイ酸塩類（米国特許第４，６６４，８３９号）、炭酸塩類（ドイツ特許出願第２，３２１，００１号）、例えば重炭酸塩類、セスキ炭酸塩類、硫酸塩類、アルミノケイ酸塩類（米国特許第３，９８５，６６９号）、及びゼオライト類である。
【０１０６】
ビルダーの濃度は、組成物の最終用途及び所望の物理形態に応じて幅広く変化させることができる。存在する場合、組成物は少なくとも約０．１％のビルダーを通常は含む。液体配合物は、通常約５重量％〜約５０重量％、さらに通常約５重量％〜約３０重量％の洗剤ビルダーを含む。ただし、それより低い又は高い濃度のビルダーを除外するものではない。
【０１０７】
本発明の目的に好適な有機洗剤ビルダーには、多種多様なポリカルボキシレート化合物が挙げられるが、これだけに制限されるものではない。ポリカルボキシレートビルダーの重要な分類の１つには、米国特許第３，１２８，２８７号（バーグ（Berg）、１９６４年４月７日発行）、及び米国特許第３，６３５，８３０号（ランバーチ（Lamberti）他、１９７２年１月１８日発行）に開示されるようなオキシジスクシネートを含め、エーテルポリカルボキシレート類が包含される。また、１９８７年５月５日にブッシュ（Bush）他に発行された米国特許第４，６６３，０７１号の「ＴＭＳ／ＴＤＳ」ビルダーも参照のこと。また、好適なエーテルポリカルボキシレート類には、米国特許第３，９２３，６７９号；３，８３５，１６３号；４，１５８，６３５号；４，１２０，８７４号に記載のような、環式化合物、特に脂環式化合物も挙げられる。またビルダーについては、米国特許第４，１０２，９０３号、４，５６６，９８４号、及びＥＰ０，２００，２６３にも記載されている。他の好適なポリカルボキシレート類は、米国特許第４，１４４，２２６号（クルチフィールド（Crutchfield）他、１９７９年３月１３日発行）、及び米国特許第３，３０８，０６７号（ディール（Diehl）、１９６７年３月７日発行）に開示されている。ディール（Diehl）の米国特許第３，７２３，３２２号も参照のこと。脂肪酸類、例えば、Ｃ．sub．１２〜Ｃ．sub．１８モノカルボン酸も、単独であるいは前述のビルダーと組み合わせて組成物に組み込むことができる。
【０１０８】
（包接錯体）
本明細書のスクラビング液はまた、任意で１種以上の包接錯体、例えば包摂化合物、シクロデキストリン類、又はカリキサレン（calyxarene）化合物を成分として含有してもよい。包接化合物は、それ自体の幾何学的構造内に他の化合物を包含することのできるかご形構造であり、普通は空洞がかご形又はトンネル状をしており、層状の化合物又はこのような構造の組み合わせを包接錯体と考えてよい。
【０１０９】
このような構成成分を、いずれかの好適な量で含んでよい。スクラビング液の使用条件における包接錯体の典型的な濃度は、組成物の約０．０１重量％〜約２５重量％、好ましくは約１重量％〜約１５重量％である。
【０１１０】
（抑泡剤）
その他の任意成分は、シリコン類及びシリカ−シリコン混合物を代表とする抑泡剤である。好ましいシリコン制泡剤は、バルトロータ（Bartollota）他の米国特許第３，９３３，６７２号に開示されている。他の特定の有用な抑泡剤は、１９７７年４月２８日発行のドイツ特許出願ＤＴＯＳ２６４６１２６、１９９２年１１月１０日出願の同時係属欧州特許出願Ｎ９２８７０１７４．７、及び同時係属欧州特許出願Ｎ９２２０１６４９．８に記載されている。このような構成成分を、いずれかの好適な量で含んでよい。前述の抑泡剤は、スクラビング液の約０．００１重量％〜約２重量％、好ましくは約０．０１重量％〜約１重量％の濃度で普通は使用される。
【０１１１】
（分散剤）
本発明に使用されるスクラビング液はまた、分散剤も含有することができる。本発明に使用できる分散剤の種類は、ビルダー、核形成防止剤（antinucleation agents）、結晶成長阻害物質、抗凝固剤、付着防止剤、解膠剤、及びレオロジー制御剤と簡単に取りまとめることができる。本発明で使用するのに好適な分散剤の例は、スメクタイト粘土であり、水溶性の有機塩は、ホモ−又はコ−ポリマー酸又はそれらの塩、水溶性有機ホモ−又はコ−ポリマーポリカルボン酸、変性ポリカルボキシレート類又はそれらの塩（ＧＢ−Ａ−１，５９６，７５６）、ポリアミン、及び変性ポリアミン化合物（ＥＰ−Ａ−３０５２８２、ＥＰ−Ａ−３０５２８３、及びＥＰ−Ａ−３５１６２９）である。
【０１１２】
このような分散剤の例は、分子量２０００〜１００００のポリアクリレート類、ならびに、これらと変性アクリル酸、フマル酸、マレイン酸、イタコン酸、アコニット酸、メサコン酸、シトラコン酸及びメチレンマロン酸又はそれらの塩、無水マレイン酸、アクリルアミド、アルキレン、ビニルメチルエーテル、スチレン、及びこれらのいずれかの混合物を含む他のいずれかの好適なモノマー単位とのコポリマーである。好ましいのは、分子量５，０００〜１００，０００、より好ましくは２０，０００〜１００，０００の、アクリル酸と無水マレイン酸のコポリマーである。
【０１１３】
その他の任意のポリマーは、変性された及び変性されていないポリビニルアルコール類及びアセテート類、セルロース性材料及び変性セルロース性材料、ポリオキシエチレン類、ポリオキシプロピレン類、及び、変性された及び変性されていないこれらのコポリマー、エチレン又はプロピレングリコールのテレフタレートエステル類、又はポリオキシアルキレン単位を有するこれらの混合物でもよい。好適な例が、米国特許第５，５９１，７０３号、５，５９７，７８９号、及び４，４９０，２７１号に開示されている。また本発明で使用するスクラビング液は、石灰石鹸ペプタイザー化合物を含有してもよい。
【０１１４】
（有機ポリマー化合物）
本発明による組成物の好ましい構成成分として、有機ポリマー化合物を添加してもよい。有機ポリマー化合物は、本質的に、分散性、再沈着防止、汚れ剥離剤、結晶成長阻害物質、又は他の洗浄特性を有する洗剤組成物中に通常見られるいずれかのポリマー性有機化合物を意味する。有機ポリマー化合物にはまた、すべての種類の有機乾燥剤も含まれる。
【０１１５】
このような構成成分を、いずれかの好適な量で含んでよい。有機ポリマー化合物は、本発明のスクラビング液組成物に、組成物の約０．１重量％〜約１００重量％、好ましくは約０．５重量％〜約６０重量％、最も好ましくは約１重量％〜約１０重量％の濃度で通常は組み込まれる。
【０１１６】
これらのポリマーは、再び空気中を運ばれる機会をもつ前に溶液中の汚染物質を錯化又は吸着する能力を有する。またそれらは、この固体物質が粒塊又は構造を形成せず、従って装置のいずれかの部分を詰まらせない方法で、スクラビング液中に捕捉された固体物質を分散させることもできる。さらに、それらは、スクラビング液中に存在するいずれかの固体物質、例えば固体吸着剤の分散プロセスでも有用な可能性があり、従って、前記固体物質が洗浄装置のある部分を詰まらせる、あるいは洗浄装置のある部分に堆積するのが回避される。とりわけ好適なポリマー剤は、ポリアミンＮ−オキシドポリマー、Ｎ−ビニルピロリドンとＮ−ビニルイミダゾールのコポリマー、ポリビニルピロリドンポリマー、ポリビニルオキサゾリドン、及びポリビニルイミダゾール、又はこれらの混合物である。
【０１１７】
ａ）ポリアミンＮ−オキシドポリマー
使用に好適なポリアミンＮ−オキシドポリマーは、次の構造式を有する単位を含有する。
【０１１８】
【化１】
2004526931.tif 000003
式中、Ｐは重合可能な単位であり、その際Ｒ−Ｎ−Ｏ基と結合することができるか、又はＲ−Ｎ−Ｏ基が重合可能な単位の一部分を形成し、あるいは両者の組み合わせである。
Ａは、
【０１１９】
【化２】
2004526931.tif 000004
であり、ｘは０又は１である。
【０１２０】
Ｒは、脂肪族、エトキシル化脂肪族、芳香族、複素環又は脂環基、又はこれらのいずれかの組み合わせであり、その際、Ｎ−Ｏ基の窒素と結合することができるか、あるいはＮ−Ｏ基の窒素がこれらの基の一部になる。
Ｎ−Ｏ基は、次の一般構造で表すことができる。
【０１２１】
【化３】
2004526931.tif 000005
Ｒ１、Ｒ２、及びＲ３は、脂肪族、芳香族、複素環又は脂環基又はこれらの組み合わせであり、ｘ又は／及びｙ又は／及びｚは０又は１であり、その際、Ｎ−Ｏ基の窒素に結合することができるか、あるいはＮ−Ｏ基の窒素がこれらの基の一部を形成する。
【０１２２】
Ｎ−Ｏ基は、重合可能な単位（Ｐ）の一部にすることができるか、又はポリマーの主鎖に結合させることができ、あるいは両者の組み合わせにすることができる。Ｎ−Ｏ基が重合可能な単位の一部を形成する好適なポリアミンＮ−オキシドは、Ｒが脂肪族、芳香族、脂環式又は複素環式基から選択されるポリアミンＮ−オキシドを含む。このようなポリアミンＮ−オキシドの１つの部類は、Ｎ−Ｏ基の窒素がＲ−基の一部を形成するポリアミンＮ−オキシド群を含む。好ましいポリアミンＮ−オキシドは、Ｒがピリジン、ピロール、イミダゾール、ピロリジン、ピペリジン、キノリン、アクリジン、及びこれらの誘導体のような複素環基であるものである。前記ポリアミンＮ−オキシドの他の部類は、Ｎ−Ｏ基の窒素がＲ基に結合しているポリアミンＮ−オキシド群を含む。
【０１２３】
その他の好適なポリアミンＮ−オキシドは、Ｎ−Ｏ基が重合可能な単位に結合しているポリアミンオキシドである。これらのポリアミンＮ−オキシドの好ましい部類は、Ｒが芳香族、複素環式、又は脂環式基である一般式（Ｉ）を有するポリアミンＮ−オキシドであり、その際、Ｎ−Ｏ官能基の窒素が前記Ｒ基の一部になる。これらの部類の例は、Ｒがピリジン、ピロール、イミダゾール、及びこれらの誘導体のような複素環式化合物である、ポリアミンオキシドである。
【０１２４】
ポリアミンＮ−オキシドの他の好ましい部類は、Ｒが芳香族、複素環式、又は脂環式基である一般式（Ｉ）を有するポリアミンオキシドであり、その際、Ｎ−Ｏ官能基の窒素がＲ基に結合している。これらの部類の例がポリアミンオキシドであり、その際Ｒ基をフェニルのような芳香族にすることができる。
【０１２５】
形成されるアミンオキシドポリマーが水溶性で、移染阻害特性を有する限り、いずれのポリマー主鎖をも使用することができる。好適なポリマー主鎖の例は、ポリビニル類、ポリアルキレン類、ポリエステル類、ポリエーテル類、ポリアミド類、ポリイミド類、ポリアクリレート類、及びこれらの混合物である。
【０１２６】
スクラビング液に使用するのに好適なアミンＮ−オキシドポリマーは、通常、アミンとアミンＮ−オキシドとの比が約１０：１〜約１：１，０００，０００である。ただし、ポリアミンオキシドポリマー中に存在するアミンオキシド基の量は、適切な共重合又は適切なＮ−酸化度によって変化させることができる。好ましくは、アミンとアミンＮ−オキシドとの比が、約２：３〜約１：１，０００，０００、より好ましくは約１：４〜約１：１，０００，０００、最も好ましくは約１：７〜約１：１，０００，０００である。スクラビング液に使用するのに好適なポリマーには、実際には、一方のモノマーの種類がアミンＮ−オキシドであり、他方のモノマーの種類がアミンＮ−オキシドであるか又はそうでないかのいずれかである、ランダムポリマー又はブロックコポリマーが包含される。ポリアミンＮ−オキシドのアミンオキシド単位は、ＰＫａ＜１０、好ましくはＰＫａ＜７、より好ましくはＰＫａ＜６である。
【０１２７】
ポリアミンオキシドは、ほとんどいかなる重合度においても得ることができる。材料が所望の水溶性及び染料懸濁力を有するのであれば、重合度は重要ではない。
【０１２８】
通常、平均分子量は、約５００〜約１，０００，０００；好ましくは約１，０００〜約５０，０００、より好ましくは約２，０００〜約３０，０００、最も好ましくは約３，０００〜約２０，０００の範囲内である。
【０１２９】
ｂ）Ｎ−ビニルピロリドンとＮ−ビニルイミダゾールのコポリマー
スクラビング液に使用されるＮ−ビニルイミダゾールＮ−ビニルピロリドンポリマーは、好ましくは約５，０００〜約１，０００，０００、より好ましくは約５，０００〜約２００，０００の範囲の平均分子量を有する。
【０１３０】
本発明によるスクラビング液に使用するのにきわめて好ましいポリマーは、Ｎ−ビニルイミダゾールＮ−ビニルピロリドンコポリマーから選択されるポリマーを含み、前記ポリマーの平均分子量は約５，０００〜約５０，０００、より好ましくは約８，０００〜約３０，０００、最も好ましくは約１０，０００〜約２０，０００の範囲である。
【０１３１】
平均分子量の範囲は、バース（Barth H.G.）及びメイズ（Mays J.W.）の化学分析（Chemical Analysis）第１１３巻、「ポリマーの特徴付けの近代的方法（Modern Methods of Polymer Characterization）」に記載の光散乱によって決定された。きわめて好ましいＮ−ビニルイミダゾールＮ−ビニルピロリドンコポリマーは、約５，０００〜約５０，０００；より好ましくは約８，０００〜約３０，０００；最も好ましくは約１０，０００〜約２０，０００の範囲の平均分子量を有する。
【０１３２】
前記平均分子量範囲を有することを特徴とするＮ−ビニルイミダゾールＮ−ビニルピロリドンコポリマーは、優れた移染阻害特性を提供するが、それとともに配合された洗剤組成物の洗浄性能に悪影響を及ぼすことはない。本発明に使用するのに好適なＮ−ビニルイミダゾールＮ−ビニルピロリドンコポリマーは、好ましくは、Ｎ−ビニルイミダゾールとＮ−ビニルピロリドンのモル比が約１〜約０．２、より好ましくは約０．８〜約０．３、最も好ましくは約０．６〜約０．４である。
【０１３３】
ｃ）ポリビニルピロリドン
本発明のスクラビング液はまた、平均分子量が約２，５００〜約４００，０００、好ましくは約５，０００〜約２００，０００、より好ましくは約５，０００〜約５０，０００、最も好ましくは約５，０００〜約１５，０００のポリビニルピロリドン（「ＰＶＰ」）も使用してよい。好適なポリビニルピロリドン類は、ＩＳＰコーポレーション（ISP Corporation）（ニューヨーク州ニューヨーク及びカナダ、モントリオール市）より製品名ＰＶＰ  Ｋ−１５（粘性分子量１０，０００）、ＰＶＰ  Ｋ−３０（平均分子量４０，０００）、ＰＶＰ  Ｋ−６０（平均分子量１６０，０００）、及びＰＶＰ  Ｋ−９０（平均分子量３６０，０００）として市販されている。ＢＡＳＦ社（BASF Cooperation）から市販されているその他の好適なポリビニルピロリドン類には、ソカラン（Sokalan）ＨＰ１６５及びソカラン（Sokalan）ＨＰ１２が挙げられ、これらは洗剤業界の技術者には既知のポリビニルピロリドン類（例えばＥＰ−Ａ−２６２，８９７及びＥＰ−Ａ−２５６，６９６を参照のこと）である。
【０１３４】
ｄ）ポリビニルオキサゾリドン
本発明のスクラビング液はまた、ポリマー剤としてポリビニルオキサゾリドンも使用してよい。前記ポリビニルオキサゾリドン類の平均分子量は、約２，５００〜約４００，０００、好ましくは約５，０００〜約２００，０００、より好ましくは約５，０００〜約５０，０００、最も好ましくは約５，０００〜約１５，０００である。
【０１３５】
ｅ）ポリビニルイミダゾール
本発明のスクラビング液はまた、ポリマー剤としてポリビニルイミダゾールも使用してよい。前記ポリビニルイミダゾール類の平均分子量は、約２，５００〜約４００，０００、好ましくは約５，０００〜約２００，０００、より好ましくは約５，０００〜約５０，０００、最も好ましくは約５，０００〜約１５，０００である。
【０１３６】
ｆ）架橋ポリマー
架橋ポリマー類は、その主鎖がある程度まで相互に結合したポリマーで、これらの結合はおそらくは主鎖又は分枝鎖の活性基との化学的又は物理的な性質のものである可能性があり、架橋ポリマーについては、ポリマー科学誌（Journal of Polymer Science）、第２２巻、１０３５〜１０３９ページに記載されている。
【０１３７】
一実施形態では、架橋ポリマー類は、三次元剛構造を形成するように製造され、三次元構造体によって形成された孔内に染料を捉えることができる。他の実施形態では、架橋ポリマーは膨張によって染料を捉える。このような架橋ポリマー類については、欧州特許出願９４８７０２１３．９に記載されている。
【０１３８】
ｇ）ポリエチレングリコール
ポリエチレングリコール類を本発明のスクラビング液の主要部分にしてよい。ポリエチレングリコール類は、ガス状有機物の吸収及び非蒸発性特性の両方を提供することができる。使用することができるポリエチレングリコール類は、分子量を約２００〜約１０，０００、好ましくは約２００〜約１，０００で変更することができる。このような構成成分を、いずれかの好適な量で含んでよい。ポリエチレングリコールは、スクラビング液の約０．０１％〜約１００％含むことができる。ポリエチレングリコールは、液体形態では無色で、水溶性で、吸湿性であり、芳香族炭化水素及び他の有機溶媒中に可溶性で、混和性であることも多い。従って、それらはスクラビング液に広範なプラスの特性を追加する。
【０１３９】
（乾燥剤化合物）
本発明のスクラビング液はまた、成分として乾燥剤化合物も使用してよい。乾燥剤化合物という用語は、本明細書では、スクラビング液中の蒸気の水分張力を減少させることができ、又は非常に低い蒸気圧を有し、あるいは湿った空気から水分を取り除く（乾燥）ことができるいずれかの無機又は有機化合物を指すものである。好適な量で使用すると、これらの乾燥剤化合物は、スクラビング液中の蒸気の水分張力を、スクラビング液を前述で定義したような「非蒸発性溶媒」とみなすことができる点まで減少させることができる。
【０１４０】
乾燥剤化合物は、無機又は有機分子にすることができる。無機乾燥剤化合物の例は：ＣａＣｌ2、ＭｇＣｌ2、ＬｉＢｒ、ＬｉＣｌ、Ｋ2ＣＯ3、Ｐｂ（ＮＯ3）2、ＫＦ、ＮａＳＯ4、Ｋ3ＰＯ4、ＣｒＯ3、ＮａＮＯ2、Ｍｇ（ＮＯ3）2、ＫＳＣＮ、ＫＣ2Ｈ3Ｏ2、Ｚｎ（ＮＯ3）2、ＺｎＢｒ２、Ｋ2ＨＰＯ4、ＮａＣｌＯ3、シリカゲル、ケイ酸塩類、アルミナ類、ゼオライト類、炭素、モレキュラーシーブ類である。好ましい無機乾燥剤は、Ｋ3ＰＯ4、Ｋ2ＣＯ3、及びＣａＣｌ2である。有機乾燥剤化合物の例は、ポリアルコール類、ポリエーテル類、多糖類、ポリアクリルアミド類、ポリアクリレート類、ならびにこれらの組み合わせ又は混合物である。好ましい有機乾燥剤は、ポリエチレングリコール３００、ポリプロピレングリコール７００、ポリエチレングリコールとポリプロピレングリコールのコポリマー、及びグリセロールである。他の好適な化合物は、２−アクリロミド（acrylomido）−２−メチル−１−プロパン−スルホン酸（ＡＭＰＳＡ）及びポリスチレンスルホン酸（ＰＳＳＡ）、ならびにそれらとナトリウム、リチウム、カリウム、及びセシウムとの塩のような、先端乾燥剤材料として知られるものである。
【０１４１】
前述の乾燥剤は、非蒸発性の有機分子と組み合わせることができ、これらは周囲温度で低い蒸気圧（高い沸点）を有するので、周囲空気と接触した時に空気中に分子を放出しない。このような分子の例が、シリコン油類、高分子量ポリマー類、鉱油類、有機酸類、炭化水素類である。好ましい非蒸発性有機分子は、スクアラン及びヒマシ油である。最後に、前述の非蒸発性有機分子は、スクラビング液の主要構成成分として乾燥剤なしでも使用することができる。
【０１４２】
このような構成成分を、いずれかの好適な量で含んでよい。本発明のスクラビング液は、組成物の約０．１重量％〜約１００重量％、好ましくは約０．５重量％〜約６５重量％、最も好ましくは約１重量％〜約５５重量％の濃度で乾燥剤化合物を組み込んでよい。
【０１４３】
（固体吸着剤）
本発明のスクラビング液はまた、成分として固体吸着媒も使用してよい。「固体吸着媒」という用語は、本明細書では、物理形態に関わらず、無機又は有機分子を吸着する特性を有するいずれかの固体材料を表す。
【０１４４】
これらの固体吸着媒は、懸濁液として、付着物として、又は濾材として、スクラビング液内部に導入することができ、これらはまた、充填材料あるいは壁面又はケーシングのように装置自体の固体部分に固定して、空気洗浄装置内で採用することもできる。
【０１４５】
ここに提案する発明で使用できる可能性のある固体吸着媒の例が、活性炭（顆粒、無定形、繊維、押出品、又は粉末形態）、含浸又はコーティング又は化学変性活性炭、シリカ、化学変性シリカ、ゼオライト類、化学変性ゼオライト類、アルミナ類、化学変性アルミナ類である。
【０１４６】
好適な固体吸着媒の例が、主に非水溶性のアルミノケイ酸ナトリウム（ｐＨの極値で可溶性）である。好適なアルミノケイ酸塩類には、単位格子式Ｎａz［（ＡｌＯ2）z（ＳｉＯ2）ｙ］・ｘＨ2Ｏを有するアルミノケイ酸塩ゼオライトであり、式中、ｚ及びｙは少なくとも６で、ｚとｙとのモル比が１．０〜０．５であり、ｘは少なくとも５で、好ましくは７．５〜２７６、より好ましくは１０〜２６４である。アルミノケイ酸塩材料は水和型であり、好ましくは１０％〜２８％、より好ましくは１８％〜２２％の結合形態の水を含有する結晶である。
【０１４７】
アルミノケイ酸塩ゼオライトは、天然に存在する材料にすることができるが、好ましくは合成的に誘導される。合成の結晶性アルミノケイ酸塩イオン交換材料は、ゼオライトＡ、ゼオライトＢ、ゼオライトＰ、ゼオライトＸ、ゼオライトＨＳ、ゼオライトＹ、ＺＳＭ５の名称で、ならびにこれらの混合物として入手可能である。
【０１４８】
アルミノケイ酸塩ゼオライトを合成する好ましい方法は、ショーマン（Schoeman）らによって記載されたものであり（ゼオライト（Zeolite）（１９９４年）１４（２）号１１０〜１１６ページで発行）、著者はその中でコロイド状のアルミノケイ酸塩ゼオライト類を調製する方法を記載している。コロイド状のアルミノケイ酸塩ゼオライト粒子は、好ましくは粒子の５％以下が直径１μｍを超えるサイズであり、粒子の５％以下が直径０．０５μｍ未満のサイズになるようにすべきである。好ましくはアルミノケイ酸塩ゼオライト粒子は、０．０１μｍ〜１μｍ、より好ましくは０．０５μｍ〜０．９μｍ、最も好ましくは０．１μｍ〜０．６μｍの平均粒子サイズを有する。
【０１４９】
ゼオライトＡは、次式を有する：
Ｎａ12［ＡｌＯ2）12（ＳｉＯ2）12］・ｘＨ2Ｏ
式中、ｘは２０〜３０、とりわけ２７である。ゼオライトＸは、式Ｎａ86［（ＡｌＯ2）86（ＳｉＯ2）106］・２７６Ｈ2Ｏを有する。ゼオライトＭＡＰは、ＥＰ−Ｂ−３８４，０７０号に開示されるように、本明細書に用いるのに好ましいゼオライトビルダーである。
【０１５０】
好ましいアルミノケイ酸塩ゼオライトは、コロイド状のアルミノケイ酸塩ゼオライトである。スクラビング液組成物の構成成分としてコロイド状アルミノケイ酸塩ゼオライトを使用する時には、とりわけ疎水性ゼオライトであるＺＳＭ５が、高いＶＯＣ吸着、ならびにその後の室内の臭気の急速除去を提供する。親水性ゼオライト類は、水を含まない疎水性有機スクラビング液に分散させた時には同様の効果を示すことができる。
【０１５１】
好適な固体吸着媒の他の例は、活性炭である。実質上いずれの種類の活性炭も、本発明で使用するのに好適であり得る。例としては、ココヤシ活性炭、活性化木炭、活性化瀝青炭が挙げられる。
【０１５２】
含まれる固体吸着媒の物理形態の例は、粒子、ナノ粒子、結晶、粉末、顆粒、ペレット、ならびに一般に考えられるあらゆる形状及びサイズである。好ましくは、固体吸着媒が約１ｎｍ〜約４ｍｍの範囲のサイズの最大寸法を有する。
【０１５３】
固体吸着媒は、様々な方法で空気浄化装置に組み込むことができ、それには、スクラビング液再循環ループに沿った着脱式又は固定ケーシング内の濾材、スクラビングカラム内の着脱式又は固定ケーシング内の濾材、スクラビング液リザーバ内の着脱式又は固定ケーシング内の濾材、スクラビング液中の粒子の懸濁、スクラビングカラム充填材料中の粒子の分散がある。
【０１５４】
フィルタケーシングを使用する時には、固体吸着媒を、容器内に詰めて充填し、多数の結合材のいずれかを使用して型の中で粒塊形成させ、押出成形し、あるいは成形して自立型ユニットを提供することができる。
【０１５５】
（その他）
スクラビング液組成物で従来使用されている、酸性剤、アルカリ性剤、汚染物質懸濁剤、殺菌剤、変色阻害物質、着色剤、及び／又は、カプセル化香料又はカプセル化されていない香料のような他の構成成分を使用してもよい。
【０１５６】
本発明で使用するスクラビング液のｐＨを制御するために、実質上いずれの酸性又はアルカリ性剤を使用することもできる。スクラビング液の最高性能に好適な好ましいｐＨ範囲は、約１〜約１４である。より好ましい範囲は約５〜約１４であり、さらに好ましい範囲は約６〜約１４である。
【０１５７】
とりわけ好適なカプセル化材料は、ＧＢ１，４６４，６１６に記載のような多糖類及びポリヒドロキシ化合物のマトリックスから成る水溶性カプセルである。その他の好適な水溶性のカプセル化材料は、米国特許第３，４５５，８３８号に記載のような置換ジカルボン酸のゼラチン化していないデンプン酸性エステル類から誘導されるデキストリン類を含む。これらの酸性エステルデキストリン類は、好ましくは、ろう状トウモロコシ、ろう状モロコシ、サゴ、タピオカ、及びジャガイモのようなデンプンから調製される。好適なカプセル化材料の例には、ナショナル・スターチ社（National Starch）製のＮ−Ｌｏｋが挙げられる。Ｎ−Ｌｏｋカプセル化材料は、変性トウモロコシデンプン及びグルコースから成る。このデンプンは、無水オクテニルコハク酸のような一官能性置換基を加えることによって変性される。
【０１５８】
本明細書で使用するのに好適な汚染物質懸濁剤には、メチルセルロース、カルボキシメチルセルロース、及びヒドロキシエチルセルロースのようなセルロース誘導体、ならびにホモポリマー又はコポリマーのポリカルボン酸又はこれらの塩が挙げられる。この種のポリマー類には、隔離剤として前述したポリアクリレート及び無水マレイン酸−アクリル酸コポリマー、ならびに、無水マレイン酸とエチレンとのコポリマー、メチルビニルエーテル又はメタクリル酸、少なくとも２０モルパーセントのコポリマーから構成される無水マレイン酸が含まれる。このような構成成分を、いずれかの好適な量で含んでよい。これらの材料は、通常、スクラビング液の０．５重量％〜１０重量％、より好ましくは０．７５重量％〜８重量％、最も好ましくは１重量％〜６重量％の濃度で使用される。他の有用なポリマー材料は、ポリエチレングリコール類、特に、分子量１，０００〜１０，０００、さらに特に２，０００〜８，０００、最も好ましくは約４，０００のものである。このような構成成分は、いずれかの好適な量で含めてよい。これらは、約０．２０重量％〜約５重量％、より好ましくは約０．２５重量％〜約２．５重量％の濃度で使用することができる。これらのポリマー及び前述のホモ−又はコ−ポリマー性ポリカルボキシレート塩は、吸収、ならびに吸収された汚染物質の分散に有益である。
【実施例】
【０１５９】
以下は、スクラビング液の配合のいくつかの非限定的な実施例である。
【０１６０】
（実施例１）
以下を含むスクラビング液組成物。
【０１６１】
【表１】
2004526931.tif 000006
【０１６２】
（実施例２）
以下を含むスクラビング液組成物。
【０１６３】
【表２】
2004526931.tif 000007
【０１６４】
（実施例３）
以下を含むスクラビング液組成物。
【０１６５】
【表３】
2004526931.tif 000008
【０１６６】
（実施例４）
以下を含むスクラビング液組成物。
【０１６７】
【表４】
2004526931.tif 000009
【０１６８】
（実施例５）
以下を含むスクラビング液組成物。
【０１６９】
【表５】
2004526931.tif 000010
本記述全体にわたって言及したすべての特許、特許出願（及びそれに基づいて発行された特許、ならびに関連して発行された外国特許出願）、ならびに刊行物の開示内容を、参照によりここに組み入れる。ただし、本明細書に参照により組み込まれた文献のいずれも、本発明を教示又は開示していることを認めるものではないことを明言する。
【０１７０】
本発明の特定の実施形態を例示し説明したが、本発明の精神及び範囲から逸脱することなく他の様々な変更及び修正が可能であることは、当業者には自明である。本発明の好ましい実施形態ならびに他の実施形態の前述及びその他の修正形態が当業者には自明であり又は提言され、前述した事項は本発明を説明するに過ぎず、制限するものではないものと解釈すべきである。本発明の範囲は、特許請求の範囲に記載する。
【図面の簡単な説明】
【０１７１】
【図１】本発明の装置及び方法の非限定的な一実施形態の流れ図である。
【図２】スクラビング装置が回転ドラムの形態をしている、本発明の装置及び方法の非限定的な実施形態の概略図である。
【図３】スクラビング装置が充填カラムの形態をしている、本発明の装置及び方法の非限定的な他の実施形態の概略図である。
【図４】本発明による装置の非限定的な他の実施形態の横断面図である。
【図５】図４に示す装置の側面図である。
【図６】図４に示す装置の正面図である。
【図７】図４に示す装置の平面図である。
【図１】
2004526931.tif 000011
【図２】
2004526931.tif 000012
【図３】
2004526931.tif 000013
【図４】
2004526931.tif 000014
【図５】
2004526931.tif 000015
【図６】
2004526931.tif 000016
【図７】
2004526931.tif 000017
【国際公開パンフレット】
2004526931.tif 000018
2004526931.tif 000019
2004526931.tif 000020
2004526931.tif 000021
2004526931.tif 000022
2004526931.tif 000023
2004526931.tif 000024
2004526931.tif 000025
2004526931.tif 000026
2004526931.tif 000027
2004526931.tif 000028
2004526931.tif 000029
2004526931.tif 000030
2004526931.tif 000031
2004526931.tif 000032
2004526931.tif 000033
2004526931.tif 000034
2004526931.tif 000035
2004526931.tif 000036
2004526931.tif 000037
2004526931.tif 000038
2004526931.tif 000039
2004526931.tif 000040
2004526931.tif 000041
2004526931.tif 000042
2004526931.tif 000043
2004526931.tif 000044
2004526931.tif 000045
2004526931.tif 000046
2004526931.tif 000047
2004526931.tif 000048
2004526931.tif 000049
2004526931.tif 000050
2004526931.tif 000051
2004526931.tif 000052
2004526931.tif 000053
2004526931.tif 000054
2004526931.tif 000055
2004526931.tif 000056
2004526931.tif 000057
2004526931.tif 000058
2004526931.tif 000059
2004526931.tif 000060
2004526931.tif 000061
2004526931.tif 000062
2004526931.tif 000063
2004526931.tif 000064
2004526931.tif 000065
2004526931.tif 000066
2004526931.tif 000067
2004526931.tif 000068
2004526931.tif 000069
2004526931.tif 000070
2004526931.tif 000071
【国際調査報告】
2004526931.tif 000072
2004526931.tif 000073
2004526931.tif 000074